(57)【要約】      （修正有）【課題】同時の時分割複信（ＴＤＤ）通信を実行するための装置及び方法を提供する。【解決手段】無線通信機器は、電気通信ネットワークなどのネットワークとの第１のＴＤＤ通信リンクと第２のＴＤＤ通信リンクとの両方を確立する。その後、無線通信機器は、ＴＤＤ上りリンクデータの部分が、ＴＤＤ下りリンクデータの部分がネットワークから受信されるのと同時に、ネットワークへ送信されるように、第１のＴＤＤ通信リンクを介して、ネットワークへＴＤＤ上りリンクデータを送信し、第２のＴＤＤ通信リンクを介して、ネットワークからＴＤＤ下りリンクデータを受信する。ＴＤＤ上りリンクデータ及びＴＤＤ下りリンクデータの送信は、複数の通信リンクを介して同時に生じる。ＴＤＤ下りリンクデータは、多入力多出力（ＭＩＭＯ）アンテナダイバーシティを用いて、複数の協調されたデータ伝送において受信される。【選択図】図３
2016072961.tif 000002
【特許請求の範囲】
【請求項１】
移動体機器を用いて同時の時分割複信（ＴＤＤ）通信を実行するための方法であって、
前記移動体機器において、
ネットワークと第１のＴＤＤ通信リンクを確立し、
前記ネットワークと第２のＴＤＤ通信リンクを確立し、
前記第１のＴＤＤ通信リンク又は前記第２のＴＤＤ通信リンクを介して、前記ネットワークへＴＤＤ上りリンクデータを送信し、
前記第１のＴＤＤ通信リンク又は前記第２のＴＤＤ通信リンクを介して、前記ネットワークからＴＤＤ下りリンクデータを受信する、
ことを含み、
前記ＴＤＤ上りリンクデータの部分が、異なるＴＤＤ通信リンクを介して前記ＴＤＤ下りリンクデータの部分が前記移動体機器において受信されるのと同時に、前記移動体機器から送信される、
ことを特徴とする方法。
【請求項２】
前記ＴＤＤ下りリンクデータは、ロングタームエボリューション（ＬＴＥ）の多入力多出力（ＭＩＭＯ）アンテナダイバーシティを用いた複数協調データ伝送において、前記移動体機器において受信される、
ことを特徴とする請求項１に記載の方法。
【請求項３】
前記移動体機器は複数のアンテナを有し、
前記ＴＤＤ下りリンクデータは、第１の時分割ロングタームエボリューション（ＴＤ−ＬＴＥ）データ通信及び第２のＴＤ−ＬＴＥデータ通信を含み、
前記方法は、
前記第１のＴＤＤ通信リンクを介して前記複数のアンテナのうちの第１のアンテナにおいて前記第１のＴＤ−ＬＴＥデータ通信を受信することと、
前記第１のＴＤＤ通信リンクを介して前記複数のアンテナのうち第２のアンテナにおいて前記第２のＴＤ−ＬＴＥデータ通信を受信することと、
をさらに含むことを特徴とする請求項１に記載の方法。
【請求項４】
前記ＴＤＤ上りリンクデータは、ＴＤ−ＬＴＥデータ通信又は時分割同期符号分割多元接続（ＴＤ−ＳＣＤＭＡ）データ通信を含み、
前記方法は、前記第２のＴＤＤ通信リンクを介して、前記複数のアンテナのうちの第３のアンテナから前記ＴＤＤ上りリンクデータを送信することをさらに含む、
ことを特徴とする請求項３に記載の方法。
【請求項５】
前記ＴＤＤ下りリンクデータは、前記第２のＴＤＤ通信リンクを介して受信される、移動体用グローバルシステム（ＧＳＭ）のページング通信であり、
前記ＴＤＤ上りリンクデータは、前記第１のＴＤＤ通信リンクを介して送信される、時分割ロングタームエボリューション（ＴＤ−ＬＴＥ）通信である、
ことを特徴とする請求項１に記載の方法。
【請求項６】
前記ＧＳＭページング通信を受信したことに応じて、前記第２のＴＤＤ通信リンクを介して、前記移動体機器におけるＧＳＭ音声呼を確立することと、
前記ＧＳＭ音声呼の間、前記第１のＴＤＤ通信リンクを介した前記ＴＤ−ＬＴＥ通信を中断することと、
をさらに含むことを特徴とする請求項５に記載の方法。
【請求項７】
前記ＴＤＤ下りリンクデータは、第１の時分割ロングタームエボリューション（ＴＤ−ＬＴＥ）データ通信と、第２のＴＤ−ＬＴＥデータ通信とを含み、
前記ＴＤＤ上りリンクデータは第３のＴＤ−ＬＴＥデータ通信を含み、
前記方法は、
前記第１のＴＤＤ通信リンクを介して前記第１のＴＤ−ＬＴＥデータ通信および前記第２のＴＤ−ＬＴＥデータ通信を受信することと、
前記第２のＴＤＤ通信リンクを介して前記第３のＴＤ−ＬＴＥデータ通信を送信することと、
をさらに含むことを特徴とする請求項１に記載の方法。
【請求項８】
ＴＤＤの切替動作に応じて、
前記第２のＴＤＤ通信リンクを介して前記第１のＴＤ−ＬＴＥデータ通信および前記第２のＴＤ−ＬＴＥデータ通信を受信することと、
前記第１のＴＤＤ通信リンクを介して前記第３のＴＤ−ＬＴＥデータ通信を送信することと、
をさらに含むことを特徴とする請求項７に記載の方法。
【請求項９】
前記第１のＴＤＤ通信リンクは第１の無線通信チャネルを用いて確立され、前記第２のＴＤＤ通信リンクは、前記第１の無線通信チャネルと異なる割り当て無線周波数スペクトルを有する第２の無線通信チャネルを用いて確立される、
ことを特徴とする請求項１に記載の方法。
【請求項１０】
無線通信機器であって、
同時の時分割複信（ＴＤＤ）通信をサポートするように構成される無線送受信器と、
１つ以上のプロセッサと、
記憶装置と、を有し、
前記記憶装置は、コンピュータが実行可能な命令であって、前記１つ以上のプロセッサによって実行されるときに、前記無線通信機器に、
ネットワークとの第１のＴＤＤ通信リンクおよび第２のＴＤＤ通信リンクを確立させ、
前記第１のＴＤＤ通信リンクを介して、前記ネットワークへ、ＴＤＤ上りリンクデータを送信させ、
前記第２のＴＤＤ通信リンクを介して、前記ネットワークから、ＴＤＤ下りリンクデータを受信させる、前記コンピュータが実行可能な命令を、記憶し、
前記ＴＤＤ上りリンクデータは、前記ＴＤＤ下りリンクデータが、前記第１のＴＤＤ通信リンクおよび前記第２のＴＤＤ通信リンクの同様のＴＤＤタイムスロットリソースを用いて、前記無線通信機器において受信されるのと同時に、前記無線通信機器から送信される、
ことを特徴とする無線通信機器。
【請求項１１】
前記第１のＴＤＤ通信リンクは第１の無線通信チャネルを用いて確立され、前記第２のＴＤＤ通信リンクは、前記第１の無線通信チャネルと異なる割り当て無線周波数スペクトルを有する第２の無線通信チャネルを用いて確立される、
ことを特徴とする請求項１０に記載の無線通信機器。
【請求項１２】
前記ＴＤＤ下りリンクデータは、ロングタームエボリューション（ＬＴＥ）の多入力多出力（ＭＩＭＯ）アンテナダイバーシティを用いた複数協調データ伝送において、前記無線通信機器において受信される、
ことを特徴とする請求項１０に記載の無線通信機器。
【請求項１３】
前記ＴＤＤ下りリンクデータは、第１の時分割ロングタームエボリューション（ＴＤ−ＬＴＥ）データ通信及び第２のＴＤ−ＬＴＥデータ通信を含み、
前記ＴＤＤ上りリンクデータは、第３のＴＤ−ＬＴＥデータ通信又は時分割同期符号分割多元接続（ＴＤ−ＳＣＤＭＡ）データ通信を含む、
ことを特徴とする請求項１０に記載の無線通信機器。
【請求項１４】
前記ＴＤＤ下りリンクデータは、前記第２のＴＤＤ通信リンクを介して受信される、移動体用グローバルシステム（ＧＳＭ）のページング通信であり、
前記ＴＤＤ上りリンクデータは、前記第１のＴＤＤ通信リンクを介して送信される、時分割ロングタームエボリューション（ＴＤ−ＬＴＥ）通信である、
ことを特徴とする請求項１０に記載の無線通信機器。
【請求項１５】
前記１つ以上のプロセッサによる前記コンピュータが実行可能な命令の実行が、前記無線通信機器に、さらに、
前記ＧＳＭページング通信を受信したことに応じて、前記第２のＴＤＤ通信リンクを介して、ＧＳＭ音声呼を確立させ、
前記ＧＳＭ音声呼の間、前記第１のＴＤＤ通信リンクを介した前記ＴＤ−ＬＴＥ通信を中断させる、
ことを特徴とする請求項１４に記載の無線通信機器。
【請求項１６】
１つ以上のプロセッサにより実行されるときに、無線通信機器に、
ネットワークとの第１の時分割複信（ＴＤＤ）通信リンクおよび第２のＴＤＤ通信リンクを確立させ、
前記第１のＴＤＤ通信リンクを介して、前記ネットワークへ、ＴＤＤ上りリンクデータを送信させ、
前記第２のＴＤＤ通信リンクを介して、前記ネットワークから、時分割ロングタームエボリューション（ＴＤ−ＬＴＥ）下りリンクデータを受信させる、
コンピュータが実行可能な命令を記憶する記憶装置であって、
前記ＴＤＤ上りリンクデータの部分が、異なるＴＤＤ通信リンクを介して前記ＴＤ−ＬＴＥ下りリンクデータの部分が前記無線通信機器において受信されるのと同時に、前記無線通信機器から送信される、
ことを特徴とする記憶装置。
【請求項１７】
前記ＴＤ−ＬＴＥ下りリンクデータは、ロングタームエボリューション（ＬＴＥ）の多入力多出力（ＭＩＭＯ）アンテナダイバーシティを用いた複数協調データ伝送において受信される、
ことを特徴とする請求項１６に記載の記憶装置。
【請求項１８】
前記ＴＤＤ上りリンクデータは、ＴＤ−ＬＴＥデータ通信又は時分割同期符号分割多元接続（ＴＤ−ＳＣＤＭＡ）データ通信を含む、
ことを特徴とする請求項１６に記載の記憶装置。
【請求項１９】
前記ＴＤＤ下りリンクデータは、第１のＴＤ−ＬＴＥデータ通信及び第２のＴＤ−ＬＴＥデータ通信を含み、
前記ＴＤＤ上りリンクデータは第３のＴＤ−ＬＴＥデータ通信を含み、
前記コンピュータが実行可能な命令の実行が、前記無線通信機器に、さらに、
前記第１のＴＤＤ通信リンクを介して、前記第１のＴＤ−ＬＴＥデータ通信および前記第２のＴＤ−ＬＴＥデータ通信を受信させ、
前記第２のＴＤＤ通信リンクを介して、前記第３のＴＤ−ＬＴＥデータ通信を送信させる、
ことを特徴とする請求項１６に記載の記憶装置。
【請求項２０】
前記コンピュータが実行可能な命令の実行が、前記無線通信機器に、さらに、
ＴＤＤの切替動作に応じて、
前記第２のＴＤＤ通信リンクを介して前記第１のＴＤ−ＬＴＥデータ通信および前記第２のＴＤ−ＬＴＥデータ通信を受信させ、
前記第１のＴＤＤ通信リンクを介して前記第３のＴＤ−ＬＴＥデータ通信を送信させる、
ことを特徴とする請求項１９に記載の記憶装置。
【発明の詳細な説明】
【技術分野】
【０００１】
説明される実施形態は、一般に無線通信に関し、より具体的には、時分割複信（ＴＤＤ）電気通信ネットワーク内で効率的に同期データを送信するための装置及び方法に関する。
【背景技術】
【０００２】
デジタル通信では、時分割複信（ＴＤＤ）は、上りリンク（ＵＬ）通信と下りリンク（ＤＬ）通信とを異なる時刻において、調整された方法で、送信することができる、半二重通信リンクを介して全二重通信をエミュレートする。ＴＤＤをサポートする一部の電気通信無線アクセス技術（ＲＡＴ）は、移動体通信用グローバルシステム（ＧＳＭ（登録商標））、ユニバーサル移動通信システム（ＵＭＴＳ）、符号分割多元接続（ＣＤＭＡ）、ロングタームエボリューション（ＬＴＥ）、及びそれらの拡張、高度化、又は派生物に適合する機器及び技術を含む。選択されたＲＡＴの展開によらず、ＴＤＤビットストリーム通信は、同一の周波数リソースを用いてＵＬ又はＤＬのデータ通信のためにスケジューリングされうる個別で交互のタイムスロットを有する順次的なデータフレームの範囲内で生じる。
【発明の概要】
【発明が解決しようとする課題】
【０００３】
最近になって、ＴＤ−ＬＴＥ（すなわち、ＴＤＤ  ＬＴＥ）が、時分割同期符号分割多元接続（中華人民共和国で開発されたＴＤ−ＳＣＤＭＡ）ＲＡＴを、第３世代パートナーシッププロジェクト（３ＧＰＰ）によって規定されるような第４世代（４Ｇ）ＬＴＥへ移すための取り組みにおいて、国際的な企業連合によって標準化された。最新のＬＴＥプロトコルは、対となっているスペクトルを用いる周波数分割複信（ＦＤＤ）と、対となっていないスペクトルを用いるＴＤＤとをサポートしている。単一のＲＡＴの範囲内でＦＤＤとＴＤＤとの両方をサポートするためのデュアルモード移動体機器が開発されている。しかしながら、移動体機器は、現在、ＲＡＴ間の動作の時分割での切り替えを行うことなく、機器の送受信器ごとに、単一のＲＡＴを用いたＴＤＤ動作を実行すること、本質的に「同時」ではない処理に限られている。
【０００４】
したがって、単一の送受信器を伴って構成される移動体機器における、複数のＲＡＴにわたる同時のＴＤＤ送信をサポートする技術の開発に対する必要性は残っている。さらに、同様の機器のための、複数のＴＤＤ通信リンクを用いた時間領域におけるキャリアアグリゲーションをサポートするためのＴＤ−ＬＴＥ技術が開発されれば有益であろう。その一部がここでさらに説明される、これらの技術進歩から利益を受けるだろう数多くの通信シナリオが存在する。
【課題を解決するための手段】
【０００５】
ここで説明される様々な実施形態は、同時の時分割複信（ＴＤＤ）通信を実行する装置及び方法を提供する。いくつかのシナリオによれば、ネットワークと、例えば電気通信ネットワークと、第１のＴＤＤ通信リンクおよび第２のＴＤＤ通信リンクを確立することを含むが、含むことには限定されない、手順が無線通信機器、例えば移動体機器において実行されることができる。いくつかのシナリオにおいて、様々なネットワークと機器との少なくともいずれかの通信条件に応じて、ネットワークとの第１のＴＤＤ通信リンクは、そのネットワークとの第２のＴＤＤ通信リンクが確立される前、後又は同時に、確立されうる。その後、ＴＤＤ上りリンク（ＵＬ）データを、第１のＴＤＤ通信リンク又は第２のＴＤＤ通信リンクを介してネットワークへ送信することができ、ＴＤＤ下りリンク（ＤＬ）データを、第１のＴＤＤ通信リンク又は第２のＴＤＤ通信リンクを介して、ネットワークから受信することができる。
【０００６】
いくつかの構成では、ＴＤＤ  ＤＬデータの部分（一部又は全部）が、異なる通信リンクを介して、すなわち、第１のＴＤＤ通信リンクを介するか第２のＴＤＤ通信リンクを介するかのいずれかで、ネットワークから移動体機器において受信されうるのと同時に、ＴＤＤ  ＵＬデータの部分（一部又は全部）が、移動体機器からネットワークへ送信されうる。この例では、ＴＤＤ  ＵＬデータの伝送が、例えば同時の、対応するＴＤＤ通信のための複数のＴＤＤ通信リンクを用いることによって、ＴＤＤ  ＤＬデータの伝送と同時に生じうる。
【０００７】
１つの態様によれば、ＴＤＤ  ＤＬデータは、ロングタームエボリューション（ＬＴＥ）の多入力多出力（ＭＩＭＯ）アンテナダイバーシティを用いて、複数の協調データ送信において、移動体機器で受信されうる。例えば、いくつかの構成において、移動体機器は、複数のアンテナを伴って構成されてもよく、ＴＤＤ  ＤＬデータは、第１の時分割ロングタームエボリューション（ＴＤ−ＬＴＥ）データ通信および第２のＴＤ−ＬＴＥデータ通信の両方を含みうる。このような構成では、移動体機器は、第１のＴＤＤ通信リンクを介して、複数のアンテナのうちの第１のアンテナで第１のＴＤ−ＬＴＥデータ通信を受信してもよく、また、移動体機器は、例えば同時に、第１のＴＤＤ通信リンクを介して複数のアンテナのうちの第２のアンテナで第２のＴＤ−ＬＴＥデータ通信を受信することができる。
【０００８】
いくつかの態様では、ＴＤＤ  ＵＬデータは、ＴＤ−ＬＴＥデータ伝送又は時分割同期符号分割多元接続（ＴＤ−ＳＣＤＭＡ）データ伝送を含んでもよく、移動体機器は、さらに、移動体機器が第１のＴＤ−ＬＴＥデータ通信及び第２のＴＤ−ＬＴＥデータ通信の両方を受信するのと同時に、第２のＴＤＤ通信リンクを介して、複数のアンテナのうちの第３のアンテナからＴＤＤ  ＵＬデータを送信することができる。
【０００９】
いくつかのシナリオによれば、ＴＤＤ  ＤＬデータは、第２のＴＤＤ通信リンクを介して受信される移動体用グローバルシステム（ＧＳＭ）のページング通信であってもよく、ＴＤＤ  ＵＬデータは、第１のＴＤＤ通信リンクを介して送信されるＴＤ−ＬＴＥ通信でありうる。この構成では、移動体機器は、ＧＳＭページング通信を受信したことに応じて、第２のＴＤＤ通信リンクを介したＧＳＭ音声呼を確立することができ、移動体機器は、例えば移動体機器のハードウェア及びファームウェアの能力に基づいて、技術的に必要な場合には、ＧＳＭ音声呼の間、第１のＴＤＤ通信リンクを介したＴＤ−ＬＴＥ通信を中断することができる。
【００１０】
様々な態様によれば、ＴＤＤ  ＤＬデータは、第１のＴＤ−ＬＴＥデータ通信及び第２のＴＤ−ＬＴＥデータ通信を含んでもよく、ＴＤＤ  ＵＬデータは、第３のＴＤ−ＬＴＥデータ通信を含んでもよい。この構成では、移動体機器は、第１のＴＤＤ通信リンクを介して、第１のＴＤ−ＬＴＥデータ通信及び第２のＴＤ−ＬＴＥデータ通信を受信することができ、第２のＴＤＤ通信リンクを介して、例えば同時に、第３のＴＤ−ＬＴＥデータ伝送を送信することができる。
【００１１】
いくつかの構成では、例えばＤＬ及びＵＬにおける、その後の、連続したＴＤ−ＬＴＥタイムスロットの間、ＴＤＤの切替動作に応じて、移動体機器は、第２のＴＤＤ通信リンクを介して第１のＴＤ−ＬＴＥデータ通信および第２のＴＤ−ＬＴＥデータ通信を受信し、第１のＴＤＤ通信リンクを介して第３のＴＤ−ＬＴＥデータ伝送を送信することができる。当業者に理解されるように、この構成は、ＴＤ−ＬＴＥ準拠の無線通信機器のための、時間領域におけるキャリアアグリゲーションを可能とすることができる。
【００１２】
１つのシナリオにおいて、無線通信機器は、複数のＴＤＤ通信リンクを用いて同時のＴＤＤ通信をサポートする無線送受信器と、１つ以上のプロセッサと、コンピュータが実行可能な命令を記憶する記憶装置とを伴って構成されうる。この構成では、１つ以上のプロセッサは、コンピュータが実行可能な命令を実行して、無線通信機器に、ネットワークとの第１のＴＤＤ通信リンク及び第２のＴＤＤ通信リンクを確立させ、第１のＴＤＤ通信リンクを介してネットワークへＴＤＤ  ＵＬデータを送信させ、そして、第２のＴＤＤ通信リンクを介してネットワークからＴＤＤ  ＤＬデータを受信させうる。ＴＤＤ  ＵＬデータ（またはその部分）は、第１のＴＤＤ通信リンク及び第２のＴＤＤ通信リンクの同様のＴＤＤタイムスロットリソースを用いて、ＴＤＤ  ＤＬデータ（またはその部分）が無線通信機器で受信されるのと同時に、無線通信機器から送信されうる。
【００１３】
様々な態様によれば、第１のＴＤＤ通信リンクは第１の無線通信チャネルを用いて確立されてもよく、第２のＴＤＤ通信リンクは第１の無線通信チャネルと異なる割り当て無線周波数スペクトルを有する第２の無線通信チャネルを用いて確立されうる。
【００１４】
いくつかの構成では、ＴＤＤ  ＤＬデータは、第２のＴＤＤ通信リンクを介して受信される移動体用グローバルシステム（ＧＳＭ）ページング通信であってもよく、１つ以上のプロセッサによるコンピュータが実行可能な命令の実行は、無線通信機器に、ＧＳＭページング通信の受信に応答して、第２のＴＤＤ通信リンクを介してＧＳＭ音声呼を確立させることができる。
【００１５】
別のシナリオによれば、非一時的記憶装置は、無線通信機器の１つ以上のプロセッサによって実行されるときに、無線通信機器に、ネットワークとの第１のＴＤＤ通信リンク及び第２のＴＤＤ通信リンクを確立させ、第１のＴＤＤ通信リンクを介してネットワークにＴＤＤ  ＵＬデータを送信させ、第２のＴＤＤ通信リンクを介してネットワークからＴＤ−ＬＴＥ下りリンクデータを受信させる、コンピュータが実行可能な命令を記憶することができる。この構成では、ＴＤＤ  ＵＬデータの部分（一部または全部）は、異なるＴＤＤ通信リンクを介して、ＴＤ−ＬＴＥ  ＤＬデータの部分（一部又は全部）が無線通信機器で受信されるのと同時に、無線通信機器から送信されうる。
【００１６】
様々な構成において、ＴＤ−ＬＴＥ  ＤＬデータは、ＬＴＥのＭＩＭＯアンテナダイバーシティを用いて、複数協調データ伝送において、受信されてもよい。
【００１７】
本開示のいくつかの態様によれば、ＴＤＤ  ＵＬデータは、ＴＤ−ＬＴＥデータ伝送又はＴＤ−ＳＣＤＭＡデータ伝送を含みうる。さらに、ＴＤ−ＬＴＥ  ＤＬデータは、第１のＴＤ−ＬＴＥデータ通信および第２のＴＤ−ＬＴＥデータ通信を含んでもよく、ＴＤＤ  ＵＬデータは、第３のＴＤ−ＬＴＥデータ伝送を含んでもよい。この構成では、コンピュータが実行可能な命令の実行により、無線通信機器に、第１のＴＤＤ通信リンクを介して第１のＴＤ−ＬＴＥデータ通信および第２のＴＤ−ＬＴＥデータ通信を受信させ、例えば同時に、第２のＴＤＤ通信リンクを介して第３のＴＤ−ＬＴＥデータ伝送を送信させることができる。
【００１８】
その後、及びＴＤＤの切り替え動作に応じて、コンピュータが実行可能な命令の実行により、無線通信機器に、第２のＴＤＤ通信リンクを介して第１のＴＤ−ＬＴＥデータ通信および第２のＴＤ−ＬＴＥデータ通信を受信させ、例えば同時に、第１のＴＤＤ通信リンクを介して第３のＴＤ−ＬＴＥデータ伝送を送信させることができる。
【００１９】
この要約は、ここで説明される主題のいくつかの態様の基本的な理解を与えるためのいくつかの例示の実施形態をまとめる目的のためだけに与えられている。したがって、上述の特徴は単なる例であり、いかなる方法においてもここで説明される主題の範囲又は精神を狭めるように解釈されるべきでないことが理解されるだろう。ここで説明される主題の他の特徴、態様及び利点は、以下の詳細な説明、図面及び特許請求の範囲から明らかになるだろう。
【００２０】
説明される実施形態、及びその付随する利点は、添付の図面における図解と併せて以下に特定される、図の対応する説明を参照することにより、最も良く理解されうる。図面において描かれている主題は、図解の目的でのみ含まれており、本開示の範囲又は意味を過度に限定することは全く意図されていない。このように、当業者が予想するように、図面に対する形式上及び詳細の様々な変更をなすことができ、そのような変更は対応する開示の精神及び範囲から離れることとならないことが理解されるべきである。
【図面の簡単な説明】
【００２１】
【図１】本開示のいくつかの実施形態による、ヘテロジニアス・ロングタームエボリューション（ＬＴＥ）無線通信システムを示す図。
【図２】本開示の様々な実施形態による、ネットワーク装置のブロック図。
【図３】本開示のいくつかの実施形態による、移動体機器のブロック図。
【図４】本開示の様々な実施形態による、ＬＴＥ−Ｕｕインタフェースを示す図。
【図５】本開示のいくつかの実施形態による、上りリンク（ＵＬ）及び下りリンク（ＤＬ）のための単一の時分割複信（ＴＤＤ）データフレームの図。
【図６Ａ】本開示の様々な実施形態による、２つ以上のアンテナを有する移動体機器のためのデュアルＴＤＤリンクページングスキャン動作の第１の状態を示す図。
【図６Ｂ】本開示のいくつかの実施形態による、図６Ａの２つ以上のアンテナを有する移動体機器のためのデュアルＴＤＤリンクページングスキャン動作の第２の状態を示す図。
【図６Ｃ】本開示の様々な実施形態による、図６Ａ及びＢのデュアルＴＤＤリンクページングスキャン動作の第１及び第２の状態を示すタイミング図。
【図７Ａ】本開示のいくつかの実施形態による、２つ以上のアンテナを有する移動体機器のためのデュアルＴＤＤリンクデータ伝送の第１の状態を示す図。
【図７Ｂ】本開示の様々な実施形態による、図７Ａの２つ以上のアンテナを有する移動体機器のためのデュアルＴＤＤリンクデータ伝送の第２の状態を示す図。
【図７Ｃ】本開示のいくつかの実施形態による、図７Ａ及びＢのデュアルＴＤＤリンクデータ伝送の第１及び第２の状態を示すタイミング図。
【図８Ａ】本開示の様々な実施形態による、３つ以上のアンテナを有する移動体機器のためのデュアルＴＤＤリンクデータ伝送の第１の状態を示す図。
【図８Ｂ】本開示のいくつかの実施形態による、図８Ａの３つ以上のアンテナを有する移動体機器のためのデュアルＴＤＤリンクデータ伝送の第２の状態を示す図。
【図８Ｃ】本開示の様々な実施形態による、図８Ａ及びＢのデュアルＴＤＤリンクデータ伝送の第１及び第２の状態を示すタイミング図。
【図９Ａ】本開示のいくつかの実施形態による、３つ以上のアンテナを有する移動体機器のための帯域間時分割ＬＴＥ（ＴＤ−ＬＴＥ）キャリアアグリゲーションデータ伝送の第１の状態を示す図。
【図９Ｂ】本開示の様々な実施形態による、図９Ａの３つ以上のアンテナを有する移動体機器のための帯域間ＴＤ−ＬＴＥキャリアアグリゲーションデータ伝送の第２の状態を示す図。
【図９Ｃ】本開示のいくつかの実施形態による、図９Ａ及びＢの帯域間ＴＤ−ＬＴＥキャリアアグリゲーションデータ伝送の第１及び第２の状態を示すタイミング図。
【図１０】本開示の様々な実施形態による、デュアルＴＤＤリンクページングスキャン動作のための手順のフロー図。
【図１１】本開示のいくつかの実施形態による、デュアルＴＤＤリンクデータ伝送のための手順のフロー図。
【図１２】本開示の様々な実施形態による、デュアルＴＤＤリンクデータ伝送のための別の手順のフロー図。
【図１３】本開示の様々な実施形態による、帯域間ＴＤ−ＬＴＥキャリアアグリゲーションのための手順のフロー図。
【発明を実施するための形態】
【００２２】
本セクションでは単一送受信器デバイスにおける複数の時分割複信（ＴＤＤ）通信リンクの同時動作を実行するための代表的な例について説明する。さらに、ＴＤ−ＬＴＥキャリアアグリゲーション通信を含む、ＴＤＤデータ伝送及び時分割ロングタームエボリューション（ＴＤ−ＬＴＥ）多入力多出力（ＭＩＭＯ）に基づくデータ伝送の間にレガシーのＴＤＤページング動作を実行するための様々な例についてもここで説明する。これらの例は、本開示の累積的な主題に対する文脈を加え、その理解を助けるために提供される。本開示が、ここで説明される特定の詳細のいくつかを用いて又は用いずに、実施されうることが、当業者には明らかなはずである。さらに、本開示の精神及び範囲から離れることなく同様の利点及び結果を得るために、ここで説明され、対応する図面に示される主題に対して様々な変更又は改変をなすことができる。
【００２３】
さらに、本セクションでは、本開示の一部を形成し、その中においてここで説明される実施形態に対応する様々な実装が例として示される添付の図面を参照する。本開示の実施形態及びシナリオについて当業者が説明される実装を実施できるように十分詳細に説明するが、これらの例が、過剰に限定的であり又は包括的であるように解釈されるべきでないことが理解されるべきである。
【００２４】
ここで説明される様々な実施形態によれば、用語「無線通信機器」「無線機器」「移動体機器」「移動局」及び「ユーザ端末」（ＵＥ）は、ここで本開示の様々な実施形態に関連する手順を実行することが可能でありうる１つ以上の共通のコンシューマ電子機器を説明するのに、交換可能に用いられうる。様々な実装によれば、これらのコンシューマ電子機器のいずれもが、携帯電話又はスマートフォン、タブレットコンピュータ、ラップトップコンピュータ、ノートブックコンピュータ、パーソナルコンピュータ、ネットブックコンピュータ、メディアプレイヤ機器、電子ブック機器、ＭｉＦｉ（商標）機器、ウェアラブルコンピューティング機器、及び、無線ワイドエリアネットワーク（ＷＷＡＮ）と、無線メトロエリアネットワーク（ＷＭＡＮ）と、無線ローカルエリアネットワーク（ＷＬＡＮ）と、無線パーソナルエリアネットワーク（ＷＰＡＮ）と、ニアフィールドコミュニケーション（ＮＦＣ）と、セルラ無線ネットワークと、第４世代（４Ｇ）ＬＴＥと、ＬＴＥアドバンスド（ＬＴＥ−Ａ）と、５Ｇ若しくは他の現在若しくは将来開発される進化型セルラ無線ネットワークとの少なくともいずれかにおける通信に用いられるような、１つ以上の無線通信プロトコルを介した通信を含むことができる無線通信能力を有する任意の他の種類の電気コンピューティング機器、に関しうる。
【００２５】
いくつかの実施形態では、無線通信機器は、例えば、ＷＬＡＮの一部としてアクセスポイント（ＡＰ）に、若しくは例えばＷＰＡＮと「アドホック」無線ネットワークとの少なくともいずれかの一部として互いに、の少なくともいずれかのように相互接続されたステーションと呼ばれうる一連のクライアント機器、クライアント無線機器、又はクライアント無線通信機器を含むことができる、無線通信システムの一部として動作することもできる。いくつかの実施形態では、クライアント機器は、例えば無線ローカルエリアネットワーク通信プロトコルに従う、ＷＬＡＮ技術を介して、通信することが可能な任意の無線通信機器でありうる。いくつかの実施形態では、ＷＬＡＮ技術は、Ｗｉ−Ｆｉ（又はより一般的にはＷＬＡＮ）無線通信サブシステム又は無線器を含むことができ、Ｗｉ−Ｆｉ無線器は、米国電気電子学会（ＩＥＥＥ）８０２．１１技術を実装することができる。
【００２６】
様々な実装では、（例えば様々なＴＤＤ通信プロトコルを含む）複数の、様々な通信プロトコルに準拠するＵＥは、任意の共通のタイプのＬＴＥ又はＬＴＥ−Ａ無線アクセス技術（ＲＡＴ）を採用する４Ｇネットワークセル内において、及び、任意の共通のタイプのレガシーＲＡＴを採用する３Ｇ又は２Ｇネットワークセル内において、通信することにより、マルチモード機器として動作することができる。いくつかのシナリオでは、対応するマルチモード通信機器は、より低速なデータレートスループットを提供する他の３Ｇ又は２Ｇのレガシーネットワークと比較して、より高速なデータレートスループットを提供するＬＴＥネットワークに接続することを好むように構成されることができる。他のシナリオでは、移動体機器は、４Ｇ、３Ｇ及び２ＧネットワークのＲＡＴの考えられる混合を用いて、同時に、又は時変の方法で通信するように構成されうる。
【００２７】
さらに詳細に説明するように、いくつかの実施形態では、ＴＤＤ準拠の無線通信機器は、異なるＴＤＤ  ＲＡＴタイプに関連付けられうる異なる無線通信チャネルリソースを用いて、一度に１つより多くのデータ伝送を行うことが可能でありうる。一例として、いくつかの実施形態では、異なるＴＤＤ  ＲＡＴタイプは、ＴＤ−ＬＴＥ、時分割同期符号分割多元接続（ＴＤ−ＳＣＤＭＡ）、移動体用グローバルシステム（ＧＳＭ）、ＧＳＭ進化型高速データレート（ＥＤＧＥ）等に準拠した機器及び技術を含みうる。さらに、様々な実装では、ＴＤＤ準拠の移動体機器は、時間領域におけるキャリアアグリゲーションをサポートするために、同一のＲＡＴタイプに対応する複数のＴＤＤ通信チャネルを同時に利用するように構成されうる。この適合は、特に、下りリンク（ＤＬ）におけるＭＩＭＯアンテナダイバーシティの要求を有するＴＤ−ＬＴＥ機器にとって有益である。
【００２８】
例えば、ＴＤ−ＬＴＥ準拠のＵＥにおいて、そのＵＥが、ＬＴＥ電気通信標準と関連付けられたＤＬスループットの要求を理論的に達成することができるように、（例えば、空間多重技術を採用することによって）マルチパスＭＩＭＯ  ＤＬ通信をネットワーク基地局、すなわちエンハンスドＮｏｄｅＢ（ｅＮｏｄｅＢ）から、受信することができるように、２つ以上のアンテナが要求される。この点において、移動体機器は、時間領域においてＬＴＥ  ＤＬデータ（例えば、下りリンク共有チャネル（ＤＬ−ＳＣＨ）データ）を累積的に受信するために、同時に（例えば、同一のタイムスロットリソースの間）、自身のアンテナのうち少なくとも２つを利用しなければならない。したがって、いくつかの実施形態では、ＴＤ−ＬＴＥ無線通信機器は、様々なＭＩＭＯ空間多重通信技術をサポートするために２つ、３つ又は４つのアンテナを伴って構成されうる。ここで説明されるＴＤ−ＬＴＥ移動体機器は、４つのアンテナのみを伴って構成されるのに限定されず、様々な実装では、ＴＤ−ＬＴＥ  ＵＥは、データスループットを増加することと無線データ通信の冗長性を改善することとのいずれかをサポートするために、４つより多くのアンテナを有してもよいことが理解されるべきである。
【００２９】
図１は、３ＧＰＰエボルブドユニバーサル地上無線アクセス（Ｅ−ＵＴＲＡ）エアインタフェースに準拠し、それぞれが少なくとも１つのｅＮｏｄｅＢネットワーク基地局を有する複数のＬＴＥとＬＴＥ−Ａとの少なくともいずれかのネットワークセル１０２ａ〜ｃを含むがそれに限られない、ヘテロジニアス無線通信システム１００を示している。様々なネットワーク構成において、ＬＴＥ／ＬＴＥ−Ａセル１０２ａ〜ｃのｅＮｏｄｅＢ基地局は、ＬＴＥ−Ｘ２インタフェースを用いて互いに通信するように構成されうる。さらに、Ｅ−ＵＴＲＡ準拠の通信システム１００は、エボルブドパケットコア（ＥＰＣ）の一部として、ＬＴＥ−Ｓ１インタフェースを用いてＬＴＥ／ＬＴＥ−Ａセル１０２ａ〜ｃのｅＮｏｄｅＢと通信することができる、任意の数の移動管理エンティティ（ＭＭＥ）及びサービングゲートウェイ（Ｓ−ＧＷ）１０６ａ〜ｃ、ＰＤＮゲートウェイ（Ｐ−ＧＷ）１０８などを含むことができる。
【００３０】
様々な実施形態において、ヘテロジニアスシステム１００は、任意の数の３Ｇ又は２Ｇエアインタフェースにも準拠してもよく、したがって、システム１００は、任意の数の３Ｇのレガシーネットワークセル１１２ａ〜ｂ、及び任意の数の２Ｇのレガシーネットワークセル１１４を含むことができる。さらに、ヘテロジニアス無線通信システム１００は、任意の特定の時刻において、対応するＵＥのヘテロジニアス無線通信システム１００内の地理的な位置に少なくとも部分的に基づいて、ＬＴＥ／ＬＴＥ−Ａネットワークセル１０２ａ〜ｃのいずれかによる、そして、３Ｇ又は２Ｇのレガシーネットワークセル１１２ａ〜ｂ及び１１４による、無線電気通信サービスの提供をそれぞれ受けることができる多数のＵＥ１０４を含みうる。
【００３１】
例として、ＴＤ−ＬＴＥ準拠のＵＥ１０４は、ＵＥ１０４がインターネットプロトコル（ＩＰ）データのダウンロードを開始する際に、ＬＴＥ／ＬＴＥ−Ａネットワークセル１０２ａの範囲内に位置しうる。それにより、ＵＥ１０４は、ＬＴＥ／ＬＴＥ−Ａネットワークセル１０２ａの範囲内のサービングＴＤ−ＬＴＥ  ｅＮｏｄｅＢと通信を確立することができる。そして、対応するｅＮｏｄｅＢは、ＴＤ−ＬＴＥ準拠のＵＥ１０４が要求されたパケットベースのＩＰデータをダウンロードすることができるように、インターネット１１０からのＥＰＣ１０６ａ〜ｃ及び１０８を通じたデータ転送を調整することができる。様々な実装では、ＬＴＥ／ＬＴＥ−Ａセル１０２ａのｅＮｏｄｅＢからＵＥ１０４へ送信されるデータは、ＬＴＥ−Ｕｕインタフェースを介して送信され、このデータは、複数のＤＬデータストリームと関連付けられた複数の無線周波数（ＲＦ）チェーンを同一のＴＤＤ通信リンクを介して、同時に、ＵＥに伝達することができるように、ＭＩＭＯ空間多重技術を用いて送信されうる。
【００３２】
図２は、本開示の様々な実施形態による、ネットワーク装置２００（例えば、ｅＮｏｄｅＢ、ＮｏｄｅＢ、又は他の共通のタイプのネットワークエンティティ）のブロック図を示している。様々な実装において、ネットワーク装置２００は、タイミング制御コンポーネント２１４、ＵＬ／ＤＬ送信スケジューリングコンポーネント２１６、及び、オプションとして、図９ａ〜ｃに関してここでさらに説明される様々なキャリアアグリゲーション構成においてネットワーク装置２００が採用することができるキャリア調整／割り当てコンポーネント２１８を有する、ネットワークリソースマネージャ２１２を伴って構成されうる。いくつかの構成では、ネットワーク装置２００は、複数のＴＤＤ通信リンクのためのデータ送信をスケジューリングする間に、自身のネットワークリソースマネージャ２１２のタイミング制御コンポーネント２１４を、タイムスロット割り当てを調整するのに利用してもよい。
【００３３】
様々な実施形態では、ネットワーク装置２００は、個別で交互のタイムスロットを有する順次的なＴＤＤデータフレームを介したＴＤＤデータ送信をスケジューリングするために、自身のネットワークリソースマネージャ２１２のＵＬ／ＤＬ送信スケジューリングコンポーネント２１６を採用しうる。図５、６ｃ、７ｃ、８ｃ及び９ｃに関してここでさらに説明するように、これらのＴＤＤタイムスロットは、同一のＴＤＤ通信リンクで同一の周波数リソースにおいてＤＬデータ伝送とＵＬデータ伝送とを交互に行うために割り当てられうる。さらに、ネットワークリソースマネージャ２１２のＵＬ／ＤＬ送信スケジューリングコンポーネント２１６は、（例えば、２つのＴＤＤリンクを用いて同時にＵＥと通信するために）指定された無線通信機器のために複数のＴＤＤ通信が同時に生じうるような方法で、複数のＴＤＤ通信リンクのＴＤＤタイムスロットをスケジューリングするように構成されうる。
【００３４】
いくつかの構成では、ネットワーク装置２００（例えばｅＮｏｄｅＢ）は、ここで説明される１つ以上の実施形態による、様々なＴＤＤスケジューリング動作を実行することができる処理回路２０２を含みうる。この点において、処理回路２０２は、様々な実施形態によるネットワーク装置２００の１つ以上の機能の実行と、実行制御との少なくともいずれかを行うように構成されることができ、したがって、処理回路２０２は、本開示の様々な実装による、ネットワーク装置２００のネットワークリソース及び通信スケジューリング手順を実行することができる。処理回路２０２は、さらに、本開示の１つ以上の実施形態による、データ処理と、アプリケーションの実行と、他の制御及び管理機能との少なくともいずれかを実行するように構成されてもよい。
【００３５】
ネットワーク装置２００、又は処理回路２０２などのその部分若しくはコンポーネントは、１つ以上のチップセットを含むこともでき、これらは、それぞれ任意の数の結合されたマイクロチップを含むことができる。また、ネットワーク装置２００の処理回路２０２と、１つ以上の他のコンポーネントとの少なくともいずれかは、その複数のチップセットを用いて、様々なＴＤＤ通信リンクスケジューリング手順及びＴＤＤ通信に関連付けられた機能を実行するように構成されうる。いくつかの実施形態では、ネットワーク装置２００は、図１のヘテロジニアス無線通信システム１００の内部で動作するように、ＬＴＥ／ＬＴＥ−Ａネットワークセル１０２ａ〜ｃのｅＮｏｄｅＢと関連付けられ、又はＬＴＥ／ＬＴＥ−Ａネットワークセル１０２ａ〜ｃのｅＮｏｄｅＢとして採用されうる。この構成において、ネットワーク装置２００は、ネットワーク装置２００が、その対応する無線カバレッジエリア（例えば、ＬＴＥ／ＬＴＥ−Ａネットワークセル１０２ａ〜ｃと関連付けられたカバレッジエリア）内に位置する任意の数のＵＥ１０４に無線通信サービスを提供するヘテロジニアスシステム１００の内部においてネットワーク基地局として動作することができるように構成された１つ以上のチップセットを含みうる。
【００３６】
いくつかの構成において、ネットワーク装置２００の処理回路２０２は、１つ以上のプロセッサ２０４とメモリコンポーネント２０６とを含みうる。さらに、処理回路２０２は、ＴＤＤ準拠のモデムと１つ以上の無線通信送受信器２１０とを有する無線周波数（ＲＦ）回路２０８と通信し、又は接続されうる。様々な実装では、モデム及び１つ以上の送受信器２１０を含むＲＦ回路２０８は、異なるＴＤＤ  ＲＡＴタイプを用いて通信するように構成されうる。例えば、いくつかの実施形態では、ＲＦ回路２０８はＬＴＥ  ＲＡＴを用いて通信するように構成されてもよく、他の実施形態では、ＲＦ回路２０８は、ＴＤ−ＳＣＤＭＡ  ＲＡＴ、ＥＤＧＥ  ＲＡＴ、ＧＳＭ  ＲＡＴ又は他の任意のＴＤＤのＲＡＴタイプを用いて通信するように構成されうる。
【００３７】
様々な実装では、プロセッサ２０４は、様々な形式で、構成され、用いられ、又は構成されると共に用いられうる。例えば、プロセッサ２０４は、任意の数の、マイクロプロセッサ、コプロセッサ、コントローラ、又は例えば特定用途向け集積回路（ＡＳＩＣ）、フィールドプログラマブルゲートアレイ（ＦＰＧＡ）、またはその任意の組み合わせなどの集積回路を含む、様々な他のコンピューティング実装又は処理実装と関連付けられうる。様々な構成では、複数のプロセッサ２０４は、互いに接続され、互いに動作可能に通信するように構成され、又は互いに接続されると共に互いに動作可能に通信するように構成されることができ、これらのハードウェアコンポーネントは、ここで説明されるネットワーク装置２００の１つ以上の手順を実行するように、ｅＮｏｄｅＢ、ＭＭＥ、又は対応する制御能力を有する他のネットワークエンティティの形式で、トータルで構成されてもよい。
【００３８】
いくつかのシナリオでは、プロセッサ２０４は、メモリ２０６に記憶されていてもよい、またはそうでなければいくつかの機器の他の格納先においてプロセッサ２０４にアクセス可能な、命令（例えば、コンピュータが実行可能な命令）を実行するように構成されうる。このように、ハードウェア若しくはハードウェアとソフトウェアとの組み合わせとして又はハードウェア若しくはハードウェアとソフトウェアとの組み合わせと併せて、のいずれであっても、処理回路２０２のプロセッサ２０４は、適切に設定されるとき、ここで説明されるさまざまな実施形態によってＴＤＤ通信動作を実行することが可能でありうる。
【００３９】
いくつかの実装では、処理回路２０２のメモリ２０６は、任意の共通の揮発性又は不揮発性メモリタイプと関連付けられうる複数のメモリ機器を含みうる。いくつかのシナリオでは、メモリ２０６は、通常のファームウェア又はアプリケーションの実行の間にプロセッサ２０４によって実行されうる様々なコンピュータプログラム命令を記憶することができる、非一時的コンピュータ可読記憶媒体と関連付けられうる。この点において、メモリ２０６は、ネットワーク装置２００が本開示の１つ以上の実施形態による様々なＴＤＤ通信機能を実行することができるようにするための、情報、データ、アプリケーション、命令などを記憶するように構成されうる。いくつかの構成では、メモリ２０６は、処理回路２０２のプロセッサ２０４及びネットワーク装置２００の様々な機器コンポーネントの間で情報を受け渡すための１つ以上のシステムバスと通信し、接続されうる。
【００４０】
図２のネットワーク装置２００において図解されそれについて説明されたコンポーネント、機器エレメント、及びハードウェアの全てが、本開示に必須なわけではなく、したがって、これらの要素のいくつかが省略され、統合され、又はそうでなければ理にかなった範囲で変形されうることが理解されるべきである。さらに、いくつかの実装では、ネットワーク装置２００に関連付けられた主題は、図２の範囲内で示されるものを超える、追加の又は代替のコンポーネント、機器エレメント又はハードウェアを含むように構成されうる。
【００４１】
図３は、本開示のいくつかの実施形態による、送受信器とＴＤＤ準拠のモデム３１０とを有するＲＦ回路３０８、及びアンテナ切替制御コンポーネント３１４及びＵＬ送信スケジューリングコンポーネント３１６を含むデバイスリソースマネージャ３１２を有する、無線通信機器３００（例えば、ＴＤＤ準拠のＵＥ）のブロック図を示している。様々な設定において、無線通信機器３００は、図６ａ〜１３に関してここでさらに説明される、様々なＴＤＤ通信動作を実行することができる処理回路３０２を含みうる。いくつかの実施形態では、処理回路３０２は、ＵＬ又はＤＬにおいて様々なＴＤＤ通信の送信（Ｔｘ）と受信（Ｒｘ）との少なくともいずれかを行うための複数のアンテナ（例えば、２、３、又は４つのアンテナ）間の切り替えを行うために自身のデバイスリソースマネージャ３１２のアンテナ切替制御コンポーネント３１４を用いることができる。
【００４２】
しかしながら、任意の特定の構成において、本開示の精神及び範囲から離れることなく、このアンテナ切替機能は、同様に、移動体機器３００のＲＦ回路３０８の内部に組み込まれうることが理解されるべきである。さらに、無線通信機器３００の処理回路３０２は、対応するネットワーク装置２００において（例えば、ネットワークリソースマネージャ２１２のＵＬ／ＤＬ送信スケジューリングコンポーネント２１６を介して）スケジューリングされうる、様々なＤＬ  ＴＤＤデータ通信と協調して、１つ以上のＴＤＤ通信リンクを介して様々なＵＬ  ＴＤＤデータ通信を実行するために、自身のデバイスリソースマネージャ３１２のＵＬ送信スケジューリングコンポーネント３１６を用いるように構成されうる。
【００４３】
いくつかの実施形態では、無線通信機器３００（例えば、ＴＤ−ＬＴＥ準拠のＵＥ）は、ここで開示される様々な機器構成によって、様々なＴＤＤ通信を実行することができる処理回路３０２を含みうる。この点で、処理回路３０２を、無線通信機器３００の１つ以上の機能の実行と実行制御との少なくともいずれかを行うように構成することができ、したがって、処理回路３０２は、オプションとしてネットワーク装置２００からのフィードバック又は命令と共に、（例えば、アンテナ切替制御コンポーネント３１４を介した）様々なアンテナ切り替えと、無線通信機器３００のＴＤＤデータ通信手順と、を行うことができる。処理回路３０２は、さらに、本開示の１つ以上の実施形態にしたがって、データ処理、アプリケーションの実行、又は他の制御及び管理機能の少なくともいずれかを行うように構成されうる。
【００４４】
また、無線通信機器３００、又は処理回路３０２などのその部分若しくはコンポーネントは、任意の数の組み合わされたマイクロチップをそれぞれが含む１つ以上のチップセットを含みうる。また、処理回路３０２と無線通信機器３００の１つ以上のコンポーネントとの少なくともいずれかは、自身の複数のチップセットを用いて、様々なＴＤＤ通信リンクデータ伝送に関連付けられた機能を実行するように構成されうる。さらに、いくつかの実施形態では、無線通信機器３００は、図１のヘテロジニアス無線通信システム１００内で動作するように構成される、マルチモードの、ＴＤ−ＬＴＥ準拠のＵＥ１０４と関連付けられうる。この構成において、無線通信機器３００は、移動体機器３００がその対応する無線カバレッジエリア内で（例えば、ＬＴＥ／ＬＴＥ−Ａネットワークセル１０２ａ〜ｃと関連付けられたカバレッジエリア内で）動作することを可能とするように構成された、１つ以上のチップセットを有してもよい。
【００４５】
いくつかの構成では、無線通信機器３００の処理回路３０２は、１つ以上のプロセッサ３０４とメモリコンポーネント３０６とを含みうる。様々な実装において、モデム及び単一の送受信器を含むＲＦ回路３０８は、様々なＴＤＤ  ＲＡＴタイプを用いて通信するように構成されうる。例えば、いくつかの実施形態では、ＲＦ回路３０８は、ＬＴＥ  ＲＡＴを用いて通信するように構成されてもよく、他の実施形態では、ＲＦ回路３０８は、ＴＤ−ＳＣＤＭＡ  ＲＡＴ、ＥＤＧＥ  ＲＡＴ、ＧＳＭ  ＲＡＴ、又は他の任意のＴＤＤ  ＲＡＴタイプを用いて通信するように構成されうる。複数のＴＤＤ  ＲＡＴを用いて通信することが可能であることが、無線通信機器３００がマルチモード通信機器として適格とすることが理解されるべきである。
【００４６】
様々な実装では、プロセッサ３０４は、様々な形式で構成され、用いられ、又は構成されると共に用いられうる。例えば、プロセッサ３０４は、任意の数のマイクロプロセッサ、コプロセッサ、コントローラ、又は例えば特定用途向け集積回路（ＡＳＩＣ）、フィールドプログラマブルゲートアレイ（ＦＰＧＡ）、若しくはその任意の組み合わせなどの集積回路を含む、様々な他のコンピューティング又は処理実装と関連付けられうる。様々な構成において、複数のプロセッサ３０４は、互いに接続され、互いに動作可能に通信するように構成され、互いに接続されると共に動作可能に通信するように構成されることができ、これらのハードウェアは、ＴＤＤ準拠のマルチモード通信機器の形式で、ここで説明されるような、無線通信機器３００の１つ以上の手順を実行するようにトータルで構成されうる。
【００４７】
いくつかのシナリオでは、プロセッサ３０４は、メモリ３０６に記憶されうる、又は、いくつかの機器の他の格納先でプロセッサ３０４がアクセス可能である命令（例えば、コンピュータが実行可能な命令）を実行するように構成されうる。このように、ハードウェア若しくはハードウェアとソフトウェアとの組み合わせとして又はハードウェア若しくはハードウェアとソフトウェアとの組み合わせと併せて、のいずれで構成されても、処理回路３０２のプロセッサ３０４は、適切に設定されるとき、ここで説明されるさまざまな実施形態によってＴＤＤ通信動作を実行することが可能でありうる。
【００４８】
いくつかの実装では、処理回路３０２のメモリ３０６は、任意の共通の揮発性又は不揮発性メモリタイプと関連付けられうる複数のメモリ機器を含みうる。いくつかのシナリオでは、メモリ３０６は、通常のファームウェア又はアプリケーションの実行の間にプロセッサ３０４によって実行されうる様々なコンピュータプログラム命令を記憶することができる、非一時的コンピュータ可読記憶媒体と関連付けられうる。この点において、メモリ３０６は、無線通信機器３００が本開示の１つ以上の実施形態による様々なＴＤＤ通信機能を実行することができるようにするための、情報、データ、アプリケーション、命令などを記憶するように構成されうる。いくつかの構成では、メモリ３０６は、処理回路３０２のプロセッサ３０４及び無線通信機器３００の様々な機器コンポーネントの間で情報を受け渡すための１つ以上のシステムバスと通信し、接続されうる。
【００４９】
図３の無線通信機器３００において図解されそれについて説明されたコンポーネント、機器エレメント、及びハードウェアの全てが、本開示に必須なわけではなく、したがって、これらの要素のいくつかが省略され、統合され、又はそうでなければ理にかなった範囲で変形されうることが理解されるべきである。さらに、いくつかの実装では、無線通信機器３００に関連付けられた主題は、図３の範囲内で示されるものを超える、追加の又は代替のコンポーネント、機器エレメント又はハードウェアを含むように構成されうる。
【００５０】
図４は、本開示の様々な実施形態による、ネットワーク装置４０６（例えばｅＮｏｄｅＢ）と無線通信機器４０２（例えばＴＤ−ＬＴＥ準拠のＵＥ）との間のＬＴＥ−Ｕｕインタフェース４００を示している。例として、いくつかの実装では、（図２のネットワーク装置２００に対応する）ネットワーク装置４０６は、（図３の無線通信機器３００に対応する）ＵＥ４０２のために、第２のＴＤＤ通信リンク４１０を用いて同一のＵＥ４０２のために１つ以上のＴＤＤ  ＵＬデータ伝送がスケジューリングされるのと同時に、第１のＴＤＤ通信リンク４０８を用いて１つ以上のＴＤＤ  ＤＬデータをスケジューリングしうる。様々な実施形態によれば、第１のＴＤＤ通信リンク４０８及び第２のＴＤＤ通信リンク４１０は、異なる無線通信チャネルに対応し、又は利用しうる。
【００５１】
本構成では、（ＵＬデータとＤＬデータとの両方のための）複数のＴＤＤデータ伝送は、異なるＴＤＤ  ＲＡＴタイプを用いて同時に生じうる。このように、ネットワーク装置４０６が、そのうちの１つが（図４に示す）ＬＴＥ電気通信標準のためのＥ−ＵＴＲＡエアインタフェースと関連しうる、複数のエアインタフェースを有してもよいことが理解されるべきである。この実装において、ネットワーク装置４０６は、ＤＬデータ伝送が当業者によって理解されるＬＴＥ  ＭＩＭＯダイバーシティ要求に準拠するように、ＭＩＭＯベースの空間多重をサポートするように構成されうる。例として、いくつかの実施形態では、ＵＥ４０２は、３つ以上のアンテナを伴って構成されることができ、ＵＥ４０２は、ＵＥ４０２が第３のアンテナを用いて無関係のＵＬデータを送信するのと同時に、２つのアンテナを用いて、ネットワーク装置４０６から複数のＭＩＭＯ  ＤＬデータ伝送を受信することが可能でありうる。しかしながら、本開示の精神及び範囲から離れることなく、数多くの代わりのアンテナ構成がＵＥ４０２において採用されてもよいことが理解されるべきである。
【００５２】
図５は、本開示のいくつかの実施形態による、ＵＬ５０２とＤＬ５０４との両方のための単一のＴＤＤデータフレーム５００（例えばＴＤ−ＬＴＥデータフレーム）の図を示している。図５に示されるように、ＴＤＤデータフレーム５００は、＃０から＃９までのラベルが付された１０個の独立したサブフレームからなる。標準のＴＤＤデータフレーム５００の時間期間は１０ミリ秒（ｍｓ）にわたり、このように、ＴＤＤデータフレーム５００内の各サブフレームは１ｍｓにわたる送信時間間隔（ＴＴＩ）を有する。周波数分割複信（ＦＤＤ）データフレームのサブフレームと同様に、ＴＤＤデータフレームのサブフレームのそれぞれは、それぞれ０．５ｍｓの時間区間を有する２つのタイムスロットからなる。ＴＤ−ＬＴＥでは、サブフレーム＃０及び＃５は、常にＤＬ送信に割り当てられ、サブフレーム＃１及び＃６は常にＤＬ５０４及びＵＬ５０２の間の同期に用いられる。これらのサブフレームは、「特殊サブフレーム」と考えられる。残りのサブフレーム＃２、＃３、＃４、＃７、＃８、及び＃９は、スケジューリングの目的で可変／割り当て可能なサブフレームと考えられる。
【００５３】
さらに、ＴＤ−ＬＴＥデータフレーム５００は、協調してＤＬ５０４からＵＬ５０２への切り替えるための１つまたは２つの切り替え点又は特殊サブフレームを伴って構成されうる。この点で、いくつかのＴＤ−ＬＴＥデータフレーム５００は、５ｍｓの切り替え点周期を有し、一方で、他のＴＤ−ＬＴＥデータフレームは特定のＬＴＥ  ＲＡＴの実装に応じて、１０ｍｓの切り替え点周期を伴って構成される。ＴＤ−ＬＴＥ通信では、ＤＬ５０４及びＵＬ５０２の通信に同一のキャリア周波数が使用され、このように、ネットワーク装置２００（例えばｅＮｏｄｅＢ）と無線通信機器３００（ＴＤ−ＬＴＥ準拠のＵＥ）との両方は、ＴｘからＲｘへ、そしてその反対に（ＲｘからＴｘへ）、時変手法で、周期的に、かつ協調して切り替えなければならない。その一方で、２つの異なるＴＤＤ通信リンクは、同一のＲＡＴ又は異なるＲＡＴタイプに対応する異なるキャリア周波数を用いて動作するように構成されうることが理解されるべきである。この原理の様々な応用について、ここでさらに説明する。
【００５４】
ＴＤ−ＬＴＥデータフレーム５００の特殊サブフレームは、下りリンク部分（ＤｗＰＴＳ）５０６、ガードピリオド（ＧＰ）５０８、及び上りリンク部分（ＵｐＰＴＳ）５１０からなる３つの部分に分割される。ＤｗＰＴＳ５０６は、ＤｗＰＴＳ５０６が通常のサブフレームと比べて短縮された（１ｍｓより小さい）時間区間を有することを除いて通常の下りリンクサブフレームとして動作する。ＵｐＰＴＳ５１０は、ＵｐＰＴＳ５１０の時間期間が短い（実質的に１ｍｓより短い）ため、チャネルサウンディング又はランダムアクセス手順のために利用され、ＵＬデータ送信には利用されなくてもよい。この短縮された時間割り当ては、ＧＰ５０８及びＵｐＰＴＳ５１０に必要な協調時間リソースを効率的に与える。ＧＰ５０８の間は、物理デバイス（例えば、ネットワーク装置２００又は移動体機器３００）がＤＬ５０４からＵＬ５０２へ（例えば、アンテナ切替制御コンポーネント３１２を介して）そのＲＦ回路を切り替えるのに所定の時間量を要求するため、ＵＬデータ送信もＤＬデータ送信も発生しなくてもよい。
【００５５】
実世界の電気通信の展開では、ＧＰ５０８は、ネットワーク装置２００で最初のＤＬサブフレームの伝送が開始される前にＵＬ／ＤＬ切り替え前の最後のＵＬサブフレームの送信が終わるように移動体機器３００においてＵＬタイミングを（例えば、ＵＬ送信スケジューリングコンポーネント３１６を介して）進めることにより、ＤＬ５０４とＵＬ５０２との遷移がネットワーク装置２００において互いに干渉しないような方法で設定されているはずである。様々な状況において、各ＵＥ３００のＵＬタイミングは、当業者に理解されるように、タイミングアドバンス機構を用いて、ネットワーク装置２００によって制御されうる。さらに、ＧＰ５０８は、同時にセル間干渉を考慮しながら、無線通信機器３００に対して、ＤＬ送信を受信して、移動体機器３００がその後のＵＬ伝送を開始する前にＲｘからＴｘへ切り替えるのに十分な時間を与えるような方法で設計されなければならない。
【００５６】
図６Ａは、本開示の様々な実施形態による、２つ以上のアンテナ６０８ａ〜ｂを有する移動体機器３００のためのＴＤＤデータ伝送の間に生じる、デュアルＴＤＤリンクのレガシーページングスキャン動作の第１の状態（状態１）６００を示している。マルチモードＵＥ３００のＲＦ回路６０２は、スイッチング機構が、すなわち、ＲＦフロントエンドスイッチ６０６が、様々な動作の状態の間にどのように動作するかを示すために分離して示されている。様々な実装において、ＲＦ回路６０２は、任意の数のＲＦベースバンドプロセッサを含みうる、単一の送受信器並びにベースバンド回路６０４、及びＲＦフロントエンドスイッチ６０６を含むが、それに限定されない。図６Ａの状態図は、ＵＥ３００を図６Ａ〜Ｂに関して説明されるように機能させるのに必要でありうるハードウェアコンポーネントの全てを示している訳ではない単純化された回路レベルのブロック図であることが理解されるべきである。
【００５７】
ある実施形態では、送受信器／ベースバンド６０４及びＲＦフロントエンドスイッチ６０６を含むＲＦ回路６０２は、複数のＴＤＤ  ＲＡＴタイプ（例えば、ＧＳＭ  ＲＡＴタイプ及びＴＤ−ＬＴＥ  ＲＡＴタイプ）を用いて動作するように構成されうる。例えば、様々な実装において、ＲＦフロントエンドスイッチ６０６は、２つのアンテナ６０８ａ〜ｂのそれぞれを、単一のＴＤ−ＬＴＥ伝送設定（ＴＤ−ＬＴＥ  Ｔｘ１）、デュアルＴＤ−ＬＴＥ受信設定（ＴＤ−ＬＴＥ  Ｒｘ１及びＴＤ−ＬＴＥ  Ｒｘ２）、単一ＧＳＭ伝送設定（ＧＳＭ  Ｔｘ）、及び単一ＧＳＭ受信設定（ＧＳＭ  Ｒｘ）のうちのいずれかに、選択的に切り替えることができる。第１の動作状態（状態１）６００では、ＵＥのＲＦ回路６０２は、ネットワーク装置６１２から、（例えば、ＴＤ−ＬＴＥ  ＭＩＭＯアンテナダイバーシティ要求に従って）同時に、同一のＴＤＤ通信リンク（リンクＡ）６１０を介して、ＴＤ−ＬＴＥ  Ｒｘ１設定を利用して第１のＴＤ−ＬＴＥ  ＤＬデータ伝送を受信するために第１のアンテナ６０８ａを、ＴＤ−ＬＴＥ  Ｒｘ２設定を利用してＴＤ−ＬＴＥ  ＤＬデータ伝送を受信するために第２のアンテナ６０８ｂを、利用するように構成されうる。
【００５８】
図６Ｂは、図６Ａの２つ以上のアンテナ６０８ａ〜ｂを有する移動体機器３００のための、デュアルＴＤＤリンクのレガシーページングスキャン動作の第２の状態（状態２）７００を示している。第２の動作状態（状態２）７００では、ＵＥのＲＦ回路６０２は、ＧＳＭ  Ｒｘ設定を利用して、第２のＴＤＤ通信リンク（リンクＢ）７０２を介してネットワーク装置６１２からＧＳＭページング通信を受信するために、第１のアンテナ６０８ａを、ＴＤ−ＬＴＥ  Ｔｘ設定を利用して、第１のＴＤＤ通信リンク（リンクＡ）７０４を介してネットワーク装置６１２へＴＤ−ＬＴＥ  ＵＬデータ伝送を送信するために第２のアンテナ６０８ｂを、同時に利用するように構成されうる。ＲＦ回路６０２に関連付けられたＵＥ３００は、ＧＳＭページング通信（例えば、音声呼に関連付けられたページング通信）を受信すると、ＧＳＭ  Ｒｘ設定及びＧＳＭ  Ｔｘ設定を用いて、ＧＳＭ通信（例えば音声呼）を受け付けて実施することができる。その結果、ＵＥ３００は、（ＴＤ−ＬＴＥデータ通信に関連する）パケット交換ドメインから、ＧＳＭ通信（例えば音声呼）を処理するための回線交換ドメインへ切り替えるために、ＤＬ及びＵＬにおける全てのＴＤ−ＬＴＥデータ通信を停止させる必要がありうる。
【００５９】
図６Ｃは、本開示の様々な実施形態による、図６Ａ〜ＢのデュアルＴＤＤリンクページングスキャン動作の第１の状態（状態１、６００）及び第２の状態（状態２、７００）を示すタイミング図８００を示している。連続するＴＤＤ  ＵＬサブフレームＴＴＩとして分割されたＵＥ  Ｔｘタイムスロット割り当て８０２は、図６Ａ〜Ｂにおいて示したＲＦ回路６０２のＴＤ−ＬＴＥ  Ｔｘ伝送に対応することが理解されるべきである。さらに、連続するＴＤＤ  ＤＬサブフレームＴＴＩとして分割されたＵＥ  Ｒｘ１タイムスロット割り当て８０４は、ＲＦ回路６０２のＧＳＭ  Ｒｘ設定及びＴＤ−ＬＴＥ  Ｒｘ１設定の両方に対応し、連続するＴＤＤ  ＤＬサブフレームＴＴＩとして分割されたＵＥ  Ｒｘ２タイムスロット割り当て８０６は、ＲＦ回路６０２のＴＤ−ＬＴＥ  Ｒｘ２設定に対応する。
【００６０】
様々な実施形態によれば、第１の状態（状態１、６００）の間、ＵＥ  Ｒｘ１タイムスロット割り当て８０４は、（ＴＤ−ＬＴＥ  Ｒｘ１設定に対応する）ＴＤ−ＬＴＥ  ＤＬデータ受信モードにあり、同時に、ＵＥ  Ｒｘ２タイムスロット割り当て８０６も、（ＴＤ−ＬＴＥ  Ｒｘ２設定に対応する）ＴＤ−ＬＴＥ  ＤＬデータ受信モードにある。この構成では、ＲＦ回路６０２は、自身の２つのアンテナ６０８ａ〜ｂの両方を用いて、ネットワーク装置６１２から、ＴＤ−ＬＴＥ  ＭＩＭＯ  ＤＬデータ伝送を受信するように構成される。次に、第２の状態（状態２、７００）の間、ＵＥ  Ｒｘ１タイムスロット割り当て８０４が、（ＧＳＭ  Ｒｘ設定に対応する）ＧＳＭ  ＤＬ受信モードにあるとき、例えば、ＵＥ３００がＧＳＭページング通信をリスニングしているときに、ＵＥ  Ｔｘタイムスロット割り当て８０２は、（ＴＤ−ＬＴＥ  Ｔｘ設定に対応する）ＴＤ−ＬＴＥ  ＵＬデータ伝送モードにある。この構成では、ＲＦ回路６０２は、ＲＦ回路６０２が１つのＧＳＭ  ＤＬデータ伝送を受信するように構成されるのと同時に、１つのＴＤ−ＬＴＥ  ＵＬデータ伝送を送信するように構成される。
【００６１】
図７Ａは、本開示のいくつかの実施形態による、２つ以上のアンテナ９０８ａ〜ｂを有して構成される移動体機器３００のためのデュアルＴＤＤリンクデータ伝送の第１の状態（状態１）９００を示している。マルチモードＵＥ３００のＲＦ回路９０２は、スイッチング機構が、すなわち、ＲＦフロントエンドスイッチ９０６が、様々な動作の状態の間にどのように動作するかを示すために分離して示されている。様々な実装において、ＲＦ回路９０２は、任意の数のＲＦベースバンドプロセッサを含みうる、単一の送受信器並びにベースバンド回路９０４、及びＲＦフロントエンドスイッチ９０６を含むが、それに限定されない。図７Ａの状態図は、ＵＥ３００を図７Ａ〜Ｂに関して説明されるように機能させるのに必要でありうるハードウェアコンポーネントの全てを示している訳ではない単純化された回路レベルのブロック図であることが理解されるべきである。
【００６２】
ある実施形態では、送受信器／ベースバンド９０４及びＲＦフロントエンドスイッチ９０６を含むＲＦ回路９０２は、複数のＴＤＤ  ＲＡＴタイプ（例えば、ＧＳＭ  ＲＡＴタイプ及びＴＤ−ＬＴＥ  ＲＡＴタイプ）を用いて動作するように構成されうる。例えば、様々な実装において、ＲＦフロントエンドスイッチ９０６は、２つのアンテナ９０８ａ〜ｂのそれぞれを、単一のＴＤ−ＳＣＤＭＡ伝送設定（ＴＤ−ＳＣＤＭＡ  Ｔｘ）、デュアルＴＤ−ＳＣＤＭＡ受信設定（ＴＤ−ＳＣＤＭＡ  Ｒｘ１及びＴＤ−ＳＣＤＭＡ  Ｒｘ２）、単一ＧＳＭ伝送設定（ＧＳＭ  Ｔｘ）、及び単一ＧＳＭ受信設定（ＧＳＭ  Ｒｘ）のうちのいずれかに、選択的に切り替えることができる。第１の動作状態（状態１）９００では、ＵＥのＲＦ回路９０２は、ＧＳＭ  Ｒｘ設定を用いて、ネットワーク装置９１４から第２のＴＤＤ通信リンク（リンクＢ）９１０を介してＧＳＭ  ＤＬデータ伝送を受信するために第１のアンテナ９０８ａを、ＴＤ−ＳＣＤＭＡ  Ｔｘ設定を利用して、第１のＴＤＤ通信リンク（リンクＡ）９１２を介してネットワーク装置９１４へＴＤ−ＳＣＤＭＡ  ＵＬデータ伝送を送信するために第２のアンテナ９０８ｂを、同時に利用するように構成されうる。
【００６３】
図７Ｂは、図７Ａの２つ以上のアンテナ９０８ａ〜ｂを有して構成される移動体機器３００のためのデュアルＴＤＤリンクデータ伝送の第２の状態（状態２）１０００を示している。第２の動作状態（状態２）１０００では、ＵＥのＲＦ回路９０２は、ＧＳＭ  Ｔｘ設定を利用して、第２のＴＤＤ通信リンク（リンクＢ）１００２を介してネットワーク装置９１４へＧＳＭ  ＵＬデータ伝送を送信するために第１のアンテナ９０８ａを、ＴＤ−ＳＣＤＭＡ  Ｒｘ１設定を利用して、第１のＴＤＤ通信リンク（リンクＡ）１００４を介してネットワーク装置９１４からＴＤ−ＳＣＤＭＡ  ＤＬデータ伝送を受信するために第２のアンテナ９０８ｂを、同時に利用するように構成されうる。
【００６４】
図７Ｃは、本開示の様々な実施形態による、図７Ａ〜ＢのデュアルＴＤＤリンクデータ伝送の第１の状態（状態１、９００）及び第２の状態（状態２、１０００）を示すタイミング図１１００を示している。連続するＴＤＤ  ＵＬサブフレームＴＴＩとして分割されたＵＥ  Ｔｘタイムスロット割り当て１１０２は、図７Ａ〜Ｂにおいて示したＲＦ回路９０２のＧＳＭ  Ｔｘ設定及びＴＤ−ＳＣＤＭＡ  Ｔｘ設定の両方に対応することが理解されるべきである。さらに、連続するＴＤＤ  ＤＬサブフレームＴＴＩとして分割されたＵＥ  Ｒｘ１タイムスロット割り当て１１０４は、ＲＦ回路９０２のＧＳＭ  Ｒｘ設定及びＴＤ−ＳＣＤＭＡ  Ｒｘ１設定の両方に対応する。この構成では、ＵＥ  Ｒｘ２タイムスロット割り当て１１０６は、全てのＴＤＤ  ＤＬサブフレームＴＴＩにおいて非アクティブである。
【００６５】
様々な実施形態によれば、第１の状態（状態１、９００）の間、ＵＥ  Ｔｘタイムスロット割り当て１１０２は、（ＴＤ−ＳＣＤＭＡ  Ｔｘ設定に対応する）ＴＤ−ＳＣＤＭＡ  ＵＬデータ伝送モードにあり、同時に、ＵＥ  Ｒｘ１タイムスロット割り当て１１０４は、（ＧＳＭ  Ｒｘ設定に対応する）ＧＳＭ  ＤＬデータ受信モードにある。そして、第２の状態（状態２、１０００）の間、ＵＥ  Ｔｘタイムスロット割り当て１１０２は、（ＧＳＭ  Ｔｘ設定に対応する）ＧＳＭ  ＵＬデータ伝送モードにあり、同時に、ＵＥ  Ｒｘ１タイムスロット割り当て１１０４は、（ＴＤ−ＳＣＤＭＡ  Ｒｘ１設定に対応する）ＴＤ−ＳＣＤＭＡ  ＤＬデータ受信モードにある。
【００６６】
この構成において、ＲＦ回路９０２は、連続するＴＤＤサブフレームにおいて、デュアルＴＤＤ通信リンク（リンクＡ及びリンクＢ）を利用して、同時に、ＧＳＭ  ＤＬデータとＴＤ−ＳＣＤＭＡ  ＵＬデータとの同時の送信／受信と、（例えばＲＦフロントエンドスイッチ９０６における）状態切り替えの後に、ＴＤ−ＳＣＤＭＡ  ＵＬデータとＧＳＭ  ＤＬデータとの同時の受信／送信との間で交互に切り替えを行うように構成される。したがって、この構成では、２つ以上のＴＤＤ通信リンク９１０及び９１２を用いることによって、ＴＤＤ  ＵＬデータを常にＲＦ回路９０２から送信することができる一方で、ＴＤＤ  ＤＬデータをＲＦ回路９０２において常に受信することができる。
【００６７】
図８Ａは、本開示のいくつかの実施形態による、３つ以上のアンテナ１２０８ａ〜ｃを有して構成される移動体機器３００のためのデュアルＴＤＤリンクデータ伝送の第１の状態（状態１）１２００を示している。マルチモードＵＥ３００のＲＦ回路１２０２は、スイッチング機構が、すなわち、ＲＦフロントエンドスイッチ１２０６が、様々な動作の状態の間にどのように動作するかを示すために分離して示されている。様々な実装において、ＲＦ回路１２０２は、任意の数のＲＦベースバンドプロセッサを含みうる、単一の送受信器並びにベースバンド回路１２０４、及びＲＦフロントエンドスイッチ１２０６を含むが、それに限定されない。図８Ａの状態図は、ＵＥ３００を図８Ａ〜Ｂに関して説明されるように機能させるのに必要でありうるハードウェアコンポーネントの全てを示している訳ではない単純化された回路レベルのブロック図であることが理解されるべきである。
【００６８】
ある実施形態では、送受信器／ベースバンド１２０４及びＲＦフロントエンドスイッチ１２０６を含むＲＦ回路１２０２は、複数のＴＤＤ  ＲＡＴタイプ（例えば、ＴＤ−ＳＣＤＭＡ  ＲＡＴタイプ及びＴＤ−ＬＴＥ  ＲＡＴタイプ）を用いて動作するように構成されうる。例えば、様々な実施形態において、ＲＦフロントエンドスイッチ１２０６は、単一のＴＤ−ＳＣＤＭＡ伝送設定（ＴＤ−ＳＣＤＭＡ  Ｔｘ）、デュアルＴＤ−ＳＣＤＭＡ受信設定（ＴＤ−ＳＣＤＭＡ  Ｒｘ１及びＴＤ−ＳＣＤＭＡ  Ｒｘ２）、単一のＴＤ−ＬＴＥ伝送設定（ＴＤ−ＬＴＥ  Ｔｘ）、及びデュアルＴＤ−ＬＴＥ受信設定（ＴＤ−ＬＴＥ  Ｒｘ１及びＴＤ−ＬＴＥ  Ｒｘ１）のいずれかに、３つのアンテナ１２０８ａ〜ｃのそれぞれを選択的に切り替えることができる。
【００６９】
第１の動作状態（状態１）１２００では、ＵＥのＲＦ回路１２０２は、ＴＤ−ＳＣＤＭＡ  Ｔｘ設定を利用して、第２のＴＤＤ通信リンク（リンクＢ）１２１０を介してネットワーク装置１２１４へＴＤ−ＳＣＤＭＡ  ＵＬデータ伝送を送信するために第１のアンテナ１２０８ａを、第１のＴＤＤ通信リンク（リンクＡ）１２１２を介して、（例えば、ＴＤ−ＬＴＥ  ＭＩＭＯアンテナダイバーシティ要求によって）ＴＤ−ＬＴＥ  Ｒｘ１設定を利用して、ネットワーク装置１２１４から第１のＴＤ−ＬＴＥ  ＤＬデータを受信するために第２のアンテナ１２０８ｂを、そして、ＴＤ−ＬＴＥ  Ｒｘ２設定を利用して、ネットワーク装置１２１４から、ＴＤ−ＬＴＥ  ＤＬデータ伝送を受信するために第３のアンテナ１２０８ｃを、同時に利用するように構成されうる。ＴＤ−ＬＴＥ  Ｒｘ１設定及びＴＤ−ＬＴＥ  Ｒｘ２設定を利用する第１及び第２のＴＤ−ＬＴＥデータ通信は、単一のＭＩＭＯ  ＤＬ伝送に対応することが理解されるべきである。
【００７０】
図８Ｂは、図８Ａの３つ以上のアンテナ１２０８ａ〜ｃを有して構成される移動体機器３００のためのデュアルＴＤＤリンクデータ伝送の第２の状態（状態２）１３００を示している。第２の動作状態（状態２）１３００では、ＵＥ  ＲＦ回路１２０２は、ネットワーク装置１２１４から、第２のＴＤＤ通信リンク（リンクＢ）１３０２を介して、ＴＤ−ＳＣＤＭＡ  Ｒｘ１設定を利用して、ネットワーク装置１２１４から第１のＴＤ−ＳＣＤＭＡ  ＤＬデータ伝送を受信するために第１のアンテナ１２０８ａを、第２のＴＤＤ通信リンク（リンクＢ）１３０２を介して、ＴＤ−ＳＣＤＭＡ  Ｒｘ２設定を利用して、ネットワーク装置１２１４から第２のＴＤ−ＳＣＤＭＡ  ＤＬデータ伝送を受信するために第２のアンテナ１２０８ｂを、第１のＴＤＤ通信リンク（リンクＡ）１３０４を介して、ＴＤ−ＬＴＥ  Ｔｘ設定を利用して、ネットワーク装置１２１４へＴＤ−ＬＴＥ  ＵＬデータ伝送を送信するために第３のアンテナ１２０８ｃを、同時に利用するように構成されうる。
【００７１】
図８Ｃは、本開示の様々な実施形態による、図８Ａ〜ＢのデュアルＴＤＤリンクデータ伝送の第１の状態（状態１、１２００）及び第２の状態（状態２、１３００）を示すタイミング図１４００を示している。連続するＴＤＤ  ＵＬサブフレームＴＴＩとして分割されたＵＥ  Ｔｘタイムスロット割り当て１４０２は、図８Ａ〜Ｂにおいて示したＲＦ回路１２０２のＴＤ−ＳＣＤＭＡ  Ｔｘ設定及びＴＤ−ＬＴＥ  Ｔｘ設定の両方に対応することが理解されるべきである。さらに、連続するＴＤＤ  ＤＬサブフレームＴＴＩとして分割されたＵＥ  Ｒｘ１タイムスロット割り当て１４０４は、ＲＦ回路１２０２のＴＤ−ＬＴＥ  Ｒｘ１設定及びＴＤ−ＳＣＤＭＡ  Ｒｘ１設定の両方に対応する。一方で、連続するＴＤＤ  ＤＬサブフレームＴＴＩとして分割されたＵＥ  Ｒｘ２タイムスロット割り当て１４０６は、ＲＦ回路１２０２のＴＤ−ＬＴＥ  Ｒｘ２設定とＴＤ−ＳＣＤＭＡ  Ｒｘ２設定との両方に対応する。
【００７２】
様々な実施形態によれば、第１の状態（状態１、１２００）の間、ＵＥ  Ｔｘタイムスロット割り当て１４０２は（ＴＤ−ＳＣＤＭＡ  Ｔｘ設定に対応する）ＴＤ−ＳＣＤＭＡ伝送モードにあり、同時に、ＵＥ  Ｒｘ１タイムスロット割り当て１４０４は、（ＴＤ−ＬＴＥ  Ｒｘ１設定に対応する）ＴＤ−ＬＴＥ  ＤＬデータ受信モードにあると共に、ＵＥ  Ｒｘ２タイムスロット割り当て１４０６は、（ＴＤ−ＬＴＥ  Ｒｘ２設定に対応する）ＴＤ−ＬＴＥ  ＤＬデータ受信モードにある。そして、第２の状態（状態２、１３００）の間、ＵＥ  Ｔｘタイムスロット割り当て１４０２は（ＴＤ−ＬＴＥ  Ｔｘ設定に対応する）ＴＤ−ＬＴＥ伝送モードにあり、同時に、ＵＥ  Ｒｘ１タイムスロット割り当て１４０４は（ＴＤ−ＬＴＥ  Ｒｘ１設定に対応する）ＴＤ−ＳＣＤＭＡ  ＤＬデータ受信モードにあると共に、ＵＥ  Ｒｘ２タイムスロット割り当て１４０６は（ＴＤ−ＬＴＥ  Ｒｘ２設定に対応する）ＴＤ−ＳＣＤＭＡ  ＤＬデータ受信モードである。この構成において、ＲＦ回路１２０２は、連続したＴＤＤサブフレームにおいて、デュアルＴＤＤ通信リンク（リンクＡ及びリンクＢ）を利用して、同時に、デュアルＴＤ−ＬＴＥ  ＤＬデータの受信と併せた同時のＴＤ−ＳＣＤＭＡ  ＵＬデータの送信と、その後の切り替えイベントの後の、デュアルＴＤ−ＳＣＤＭＡ  ＤＬデータの受信と併せた同時のＴＤ−ＬＴＥ  ＵＬデータの送信と、の間で交互に切り替えるように構成される。
【００７３】
図９Ａは、本開示のいくつかの実施形態による、３つ以上のアンテナ１５０８ａ〜ｃを有して構成される移動体機器３００のための帯域間ＴＤ−ＬＴＥキャリアアグリゲーションデータ伝送の第１の状態（状態１）１５００を示している。マルチモードＵＥ３００のＲＦ回路１５０２は、スイッチング機構が、すなわち、ＲＦフロントエンドスイッチ１５０６が、様々な動作の状態の間にどのように動作するかを示すために分離して示されている。様々な実装において、ＲＦ回路１５０２は、任意の数のＲＦベースバンドプロセッサを含みうる、単一の送受信器並びにベースバンド回路１５０４、及びＲＦフロントエンドスイッチ１５０６を含むが、それに限定されない。図９Ａの状態図は、ＵＥ３００を図９Ａ〜Ｂに関して説明されるように機能させるのに必要でありうるハードウェアコンポーネントの全てを示している訳ではない単純化された回路レベルのブロック図であることが理解されるべきである。
【００７４】
ある実施形態では、送受信器／ベースバンド１５０４及びＲＦフロントエンドスイッチ１５０６を含むＲＦ回路１５０２は、複数の通信チャネル（例えばＴＤ−ＬＴＥチャネルＢ３８及びＴＤ−ＬＴＥチャネル４１におけるＣｈＡ及びＣｈＢ）を介して、単一のＴＤＤ  ＲＡＴタイプ（例えば、ＴＤ−ＬＴＥ）を用いて動作するように構成されうる。例えば、様々な実装において、ＲＦフロントエンドスイッチ１５０６は、３つのアンテナ１５０８ａ〜ｃのそれぞれを、デュアルＴＤＤ通信リンク１５１０（リンクＢ）及び１５１２（リンクＡ）においてＴＤ−ＬＴＥキャリアアグリゲーションをサポートするための様々な動作状態の間に、２つのＴＤ−ＬＴＥ伝送設定（ＴＤ−ＬＴＥ  Ｔｘ  ＣｈＡ及びＴＤ−ＬＴＥ  Ｔｘ  ＣｈＢ）、及び、４つのＴＤ−ＬＴＥ受信設定（ＴＤ−ＬＴＥ  Ｒｘ１  ＣｈＡ、ＴＤ−ＬＴＥ  Ｒｘ２  ＣｈＢ、ＴＤ−ＬＴＥ  Ｒｘ１  ＣｈＢ、及びＴＤ−ＬＴＥ  Ｒｘ２  ＣｈＡ）のうちの２つ、のいずれかに選択的に切り替えることができる。
【００７５】
第１の動作状態（状態１）１５００では、ＵＥのＲＦ回路１５０２は、第２のＴＤＤ通信リンク（リンクＢ）１５１０を介して、ＴＤ−ＬＴＥ  Ｔｘ  ＣｈＡ設定を利用して、ネットワーク装置１５１４へＴＤ−ＬＴＥ  ＵＬデータ伝送を送信するのに第１のアンテナ１５０８ａを、第１のＴＤＤ通信リンク（リンクＡ）１５１２を介して（例えば、ＴＤ−ＬＴＥ  ＭＩＭＯアンテナダイバーシティの要求に従って）、ＴＤ−ＬＴＥ  Ｒｘ１  ＣｈＢ設定を利用して、ネットワーク装置１５１４から第１のＴＤ−ＬＴＥ  ＤＬデータ伝送を受信するのに第２のアンテナ１５０８ｂを、そして、ＴＤ−ＬＴＥ  Ｒｘ２  ＣｈＢ設定を利用してネットワーク装置１５１４から第２のＴＤ−ＬＴＥ  ＤＬデータ伝送を受信するのに第３のアンテナ１５０８ｃを、同時に利用するように構成されうる。ＴＤ−ＬＴＥ  Ｒｘ１  ＣｈＢ設定及びＴＤ−ＬＴＥ  Ｒｘ２  ＣｈＢ設定を利用する第１及び第２のＴＤ−ＬＴＥデータ通信は、単一のＭＩＭＯ  ＤＬ伝送に対応することが理解されるべきである。
【００７６】
図９Ｂは、図８Ａの３つ以上のアンテナ１５０８ａ〜ｃを伴って構成される移動体機器３００のための帯域間ＴＤ−ＬＴＥキャリアアグリゲーションデータ伝送の第２の状態（状態２）１６００を示す。第２の動作状態（状態２）１６００では、ＵＥのＲＦ回路１５０２は、第２のＴＤＤ通信リンク（リンクＢ）１６０２を介して、同時に（例えばＴＤ−ＬＴＥ  ＭＩＭＯアンテナダイバーシティ要求により）、ＴＤ−ＬＴＥ  Ｒｘ１  ＣｈＡ設定を利用して、ネットワーク装置１５１４から第１のＴＤ−ＬＴＥ  ＤＬデータ伝送を受信するために第１のアンテナ１５０８ａを、そして、ＴＤ−ＬＴＥ  Ｒｘ２  ＣｈＡ設定を利用して、ネットワーク装置１５１４から第２のＴＤ−ＬＴＥ  ＤＬデータを受信するために、そして、同時に第１のＴＤＤ通信リンク（リンクＡ）１６０４を介してＴＤ−ＬＴＥ  Ｔｘ  ＣｈＢ設定を利用して、ネットワーク装置１５１４へＴＤ−ＬＴＥ  ＵＬデータ伝送を送信するのに、第２のアンテナ１５０８ｂを利用するように構成されうる。ＴＤ−ＬＴＥ  Ｒｘ１  ＣｈＡ設定及びＴＤ−ＬＴＥ  Ｒｘ２  ＣｈＡ設定を利用する第１及び第２のＴＤ−ＬＴＥデータ通信は、単一のＭＩＭＯ  ＤＬ伝送に対応することが理解されるべきである。
【００７７】
図９Ｃは、本開示の様々な実施形態による、図９Ａ〜Ｂの帯域間ＴＤ−ＬＴＥキャリアアグリゲーションデータ伝送の第１の状態（状態１、１５００）及び第２の状態（状態２、１６００）を示すタイミング図１７００を示している。連続したＴＤＤ  ＵＬサブフレームＴＴＩとして分割されるＵＥ  Ｔｘタイムスロット割り当て１７０２は、図９Ａ〜Ｂに示されるＲＦ回路１５０２のＴＤ−ＬＴＥ  Ｔｘ  ＣｈＡ設定及びＴＤ−ＬＴＥ  Ｔｘ  ＣｈＢ設定の両方に対応することが理解されるべきである。さらに、連続したＴＤＤ  ＤＬサブフレームＴＴＩとして分割されるＵＥ  Ｒｘ１タイムスロット割り当て１７０４は、ＲＦ回路１５０２のＴＤ−ＬＴＥ  Ｒｘ１  ＣｈＡ設定とＴＤ−ＬＴＥ  Ｒｘ２  ＣｈＢ設定との両方に対応する。一方、連続したＴＤＤ  ＤＬサブフレームＴＴＩに分割されるＵＥ  Ｒｘ２タイムスロット割り当て１７０６は、ＲＦ回路１５０２のＴＤ−ＬＴＥ  Ｒｘ１  ＣｈＢ設定及びＴＤ−ＬＴＥ  Ｒｘ２  ＣｈＡ設定に対応する。
【００７８】
様々な実施形態によれば、第１の状態（状態１、１５００）の間、ＵＥ  Ｔｘタイムスロット割り当て１７０２は（ＴＤ−ＬＴＥ  Ｔｘ  ＣｈＡ設定に対応する）ＴＤ−ＬＴＥ  ＵＬデータ伝送モードにあり、同時に、ＵＥ  Ｒｘ１タイムスロット割り当て１７０４は（ＴＤ−ＬＴＥ  Ｒｘ１  ＣｈＢ設定に対応する）ＴＤ−ＬＴＥ  ＤＬデータ受信モードにあると共に、ＵＥ  Ｒｘ２タイムスロット割り当て１７０６は（ＴＤ−ＬＴＥ  Ｒｘ２  ＣｈＡ設定に対応する）ＴＤ−ＬＴＥ  ＤＬデータ受信モードにある。そして、第２の状態（状態２、１６００）の間、ＵＥ  Ｔｘタイムスロット割り当て１７０２は（ＴＤ−ＬＴＥ  Ｔｘ  ＣｈＢ設定に対応する）ＴＤ−ＬＴＥ  ＵＬデータ伝送モードにあり、同時に、ＵＥ  Ｒｘ１タイムスロット割り当て１７０４が（ＴＤ−ＬＴＥ  Ｒｘ１  ＣｈＡ設定に対応する）ＴＤ−ＬＴＥ  ＤＬデータ受信モードにあると共に、ＵＥ  Ｒｘ２タイムスロット割り当て１７０６が（ＴＤ−ＬＴＥ  Ｒｘ２  ＣｈＢ設定に対応する）ＴＤ−ＬＴＥ  ＤＬデータ受信モードにある。
【００７９】
この構成において、ＲＦ回路１５０２は、連続したＴＤＤサブフレームにおいて、デュアルＴＤＤ通信リンク（リンクＡ及びリンクＢ）を同時に利用して、第２のＬＴＥ通信チャネル（ＣｈＢ）を用いたデュアルＴＤ−ＬＴＥ  ＤＬデータの受信と併せての第１のＬＴＥ通信チャネル（ＣｈＡ）を用いた同時のＴＤ−ＬＴＥ  ＵＬデータの送信と、その後の切り替えイベントの後の、第１のＬＴＥ通信チャネル（ＣｈＡ）を用いたデュアルＴＤ−ＬＴＥ  ＤＬデータの受信と併せての第２のＬＴＥ通信チャネル（ＣｈＢ）を用いたＴＤ−ＬＴＥ  ＵＬデータの同時の送信と、を交互に切り替えるように構成される。
【００８０】
図１０は、本開示の様々な実施形態による、ＴＤ−ＬＴＥデータ伝送の間にデュアルＴＤＤリンクページングスキャン動作を実行するための様々な手順１８００を示すフロー図を示している。この点において、図１０に示す手順１８００のいずれか又は全てが、無線通信機器３００の非一時的コンピュータ可読メモリ３０６に記憶されるコンピュータが実行可能な命令（例えば、コンピュータプログラムコード）の実行により、場合によってはｅＮｏｄｅＢ２００と任意の他の共通電気通信ネットワークエンティティとの少なくともいずれかの非一時的コンピュータ可読メモリ２０６に記憶されたコンピュータが実行可能な命令（例えば、コンピュータプログラムコード）の実行と併せることにより、実行されうる１つ又は複数の方法と関連付けられうることが理解されるべきである。
【００８１】
最初に、動作ブロック１８０２において、１つ以上のＴＤＤデータ伝送が、無線通信機器３００のために開始されうる。その後、動作ブロック１８０４において、無線通信機器３００は、第１のＴＤＤ  ＲＡＴを用いて（例えばＴＤ−ＬＴＥ通信標準を介して）、第１のアンテナ６０８ａにおいて第１のＴＤＤリンクを介して（例えばリンクＡを介して）、ＴＤＤ  ＤＬデータを受信することができ、一方で同時に、動作ブロック１８０６において、無線通信機器３００は、（例えば、ＴＤ−ＬＴＥ  ＭＩＭＯアンテナダイバーシティの要求に従って）第１のＴＤＤ  ＲＡＴを用いて、第２のアンテナ６０８ｂにおいて第１のＴＤＤリンクを介して（例えばリンクＡを介して）、ＴＤＤ  ＤＬデータを受信することができる。そして、動作ブロック１８０８において、無線通信機器３００（及びネットワーク）は、（例えばＲＦフロントエンドスイッチ９０６を用いて）ＴＤＤ状態切り替えを実行することができる。
【００８２】
その後、動作ブロック１８１０及び１８１２において、（例えば、音声呼の表示に関する）ＤＬページングデータが、第２のＴＤＤ  ＲＡＴ（例えば、ＧＳＭ電気通信標準）を用いて、第１のアンテナ６０８ａで、第２のＴＤＤリンクを介して（例えばリンクＢを介して）受信されうる一方で、同時に、ＴＤＤ  ＵＬデータは、第１のＴＤＤ  ＲＡＴ（例えばＴＤ−ＬＴＥ）を用いて、第２のアンテナ６０８ｂで、第１のＴＤＤリンクを介して（例えばリンクＡを介して）、無線通信機器３００からネットワークへ送信される。その後、決定ブロック１８１４において、（例えばネットワークエンティティ２００と無線通信機器３００との少なくともいずれかによって）ＴＤＤ  ＵＬ及びＤＬ伝送の全てが完了したかについての判定がなされる。
【００８３】
決定ブロック１８１４において全てのＴＤＤ  ＵＬ及びＤＬ伝送が完了したという判定がなされたシナリオにおいて、処理は、動作ブロック１８１８へ進み、無線通信機器３００のための全ての対応するＴＤＤデータ伝送を停止する。その一方で、決定ブロック１８１４においてＴＤＤ  ＵＬ及びＤＬ伝送が全ては完了していないとの判定がなされたシナリオでは、処理は動作ブロック１８１６へ進み、無線通信機器３００（及びネットワーク）は、（例えばＲＦフロントエンドスイッチ９０６を用いての）さらなるＴＤＤ状態切り替えを行うことができる。その後、手順は、無線通信機器３００のためのさらなるＴＤＤ  ＤＬとＵＬとの少なくともいずれかのデータ伝送を実行することができるように、動作ブロック１８０４及び１８０６の同時のＴＤＤ  Ｒｘ伝送へループバックする。動作ブロック１８１０では、音声呼の表示が受信された際に、受信した音声呼を実施することができるように、ＴＤ−ＬＴＥ通信が停止されうることが理解されるべきである。
【００８４】
図１１は、本開示の様々な実施形態による、デュアルＴＤＤリンクデータ伝送を実行するための様々な手順１９００を示すフロー図を示している。この点において、図１１に示す手順１９００のいずれか又は全てが、無線通信機器３００の非一時的コンピュータ可読メモリ３０６に記憶されるコンピュータが実行可能な命令（例えば、コンピュータプログラムコード）の実行により、場合によってはネットワーク基地局２００と任意の他の共通の電気通信ネットワークエンティティとの少なくともいずれかの非一時的コンピュータ可読メモリ２０６に記憶されたコンピュータが実行可能な命令（例えば、コンピュータプログラムコード）の実行と併せることにより、実行されうる１つ又は複数の方法と関連付けられうることが理解されるべきである。
【００８５】
最初に、動作ブロック１９０２において、１つ以上のＴＤＤデータ伝送が、無線通信機器３００のために開始されうる。次に、動作ブロック１９０４において、無線通信機器３００は、第１のＴＤＤリンク（例えば、９１２のリンクＡ）を介して、第１のＴＤＤ  ＲＡＴ（例えば、ＴＤ−ＳＣＤＭＡ電気通信標準）を用いて、ネットワークエンティティ２００（例えば図７Ａのネットワーク基地局９１４）へＴＤＤ  ＵＬデータを送信してもよく、同時に、無線通信機器３００は、第２のＴＤＤ  ＲＡＴ（例えばＧＳＭ）を用いて、ネットワークエンティティ２００（例えばネットワーク基地局）からＴＤＤ  ＤＬデータを受信する。その後、動作ブロック１９０８において、無線通信機器３００（及びネットワーク）は、（例えばＲＦフロントエンドスイッチ９０６を用いて）ＴＤＤ状態切り替えを実行することができる。
【００８６】
その後、動作ブロック１９１０において、無線通信機器３００は、第１のＴＤＤ  ＲＡＴ（例えばＴＤ−ＳＣＤＭＡ）を用いて、第１のＴＤＤリンク（例えば、リンクＡ  ９１２）を介して、ＴＤＤ  ＤＬデータを受信することができる一方で、同時に、無線通信機器３００は、第２のＴＤＤ  ＲＡＴ（例えば、ＧＳＭ）を用いて、第２のＴＤＤリンク（例えば、リンクＢ  ９１２）を介してＴＤＤ  ＵＬデータを送信する。次に、決定ブロック１９１４において、（例えば、ネットワークエンティティ２００と無線通信機器３００との少なくともいずれかによって）全てのＴＤＤ  ＵＬ及びＤＬ伝送が完了したかについての判定がなされる。
【００８７】
決定ブロック１９１４において全てのＴＤＤ  ＵＬ及びＤＬ伝送が完了したという判定がなされたシナリオにおいて、処理は動作ブロック１９１８へ進み、無線通信機器３００のための全ての対応するＴＤＤデータ伝送を停止する。代わりに、決定ブロック１９１４においてＴＤＤ  ＵＬ及びＤＬ伝送が全ては完了していないとの判定がなされたシナリオでは、処理は動作ブロック１９１６に進み、無線通信機器３００（及びネットワーク）は、（例えばＲＦフロントエンドスイッチ９０６を用いての）さらなるＴＤＤ状態切り替えを実行することができる。その後、手順は、無線通信機器３００のためのさらなるＴＤＤ  ＤＬ及びＵＬデータ伝送を実行するように、動作ブロック１９０４及び１９０６の同時のＴｘ／Ｒｘ  ＴＤＤ伝送へループバックする。
【００８８】
図１２は、本開示の様々な実施形態による、３つのアンテナを有する移動体機器３００においてデュアルＴＤＤリンクデータ伝送を実行するための他の手順２０００を示すフロー図を示している。この点において、図１２に示す手順２０００のいずれか又は全てが、無線通信機器３００の非一時的コンピュータ可読メモリ３０６に記憶されるコンピュータが実行可能な命令（例えば、コンピュータプログラムコード）の実行により、場合によってはｅＮｏｄｅＢ２００と任意の他の共通の電気通信ネットワークエンティティとの少なくともいずれかの非一時的コンピュータ可読メモリ２０６に記憶されたコンピュータが実行可能な命令（例えば、コンピュータプログラムコード）の実行と併せることにより、実行されうる１つ又は複数の方法と関連付けられうることが理解されるべきである。
【００８９】
最初に、動作ブロック２００２において、第１のＴＤＤ通信リンク（例えば図８ＡのリンクＡ  １２１２）及び第２のＴＤＤ通信リンク（例えばリンクＢ  １２１０）が、移動体機器３００のために確立されうる。次に、動作ブロック２００６において、移動体機器３００が、第１のＴＤＤ  ＲＡＴ（例えばＴＤ−ＳＣＤＭＡ）を用いて、第２のＴＤＤリンク（例えば、リンクＢ）を介して、ネットワークエンティティ２００（例えば、ネットワーク基地局１２１４）へＴＤＤ  ＵＬデータを送信しうるのと同時に、無線通信機器３００は、動作ブロック２００６及び２００８において（例えば、ＴＤ−ＬＴＥ  ＭＩＭＯアンテナダイバーシティの要求に従って）、第２のＴＤＤ  ＲＡＴ（例えばＴＤ−ＬＴＥ）を用いて、第１のＴＤＤリンク（例えばリンクＡ）を介して、ネットワークエンティティ２００から第１及び第２のＴＤＤ  ＤＬデータを受信する。
【００９０】
その後、動作ブロック２０１０において、無線通信機器３００（及びネットワーク）は、（例えばＲＦフロントエンドスイッチ１２０６を用いて）ＴＤＤ状態切り替えを実行することができる。その後、無線通信機器３００は、動作ブロック２０１２及び２０１４において、（例えば、ＴＤ−ＬＴＥ  ＭＩＭＯアンテナダイバーシティの要求に従って）第２のＴＤＤリンク（例えばリンクＢ）を介して、第２のＴＤＤ  ＲＡＴ（例えばＴＤ−ＬＴＥ）を用いて、ネットワークエンティティ２００から第１及び第２のＴＤＤ  ＤＬデータを受信することができる一方で、同時に、無線通信機器３００は、第１のＴＤＤリンク（例えばリンクＡ）を介して、第１のＴＤＤ  ＲＡＴ（例えばＴＤ−ＳＣＤＭＡ）を用いて、ネットワークエンティティ２００（例えばネットワーク基地局１２１４）へＴＤＤ  ＵＬデータを送信する。
【００９１】
次に、決定ブロック２０１８において、（例えば、ネットワークエンティティ２００と無線通信機器３００との少なくともいずれかによって）全てのＴＤＤ  ＵＬ及びＤＬ伝送が完了したかについての判定がなされる。決定ブロック２０１８において全てのＴＤＤ  ＵＬ及びＤＬ伝送が完了したという判定がなされたシナリオにおいて、処理は動作ブロック２０２２へ進み、無線通信機器３００のための全ての対応するＴＤＤデータ伝送を停止する。代わりに、決定ブロック２０１８においてＴＤＤ  ＵＬ及びＤＬ伝送が全ては完了していないとの判定がなされたシナリオでは、処理は動作ブロック２０２０へ進み、無線通信機器３００（及びネットワーク）は、（例えばＲＦフロントエンドスイッチ１２０６を用いての）さらなるＴＤＤ状態切り替えを実行することができる。その後、手順は、無線通信機器３００のためのさらなるＴＤＤ  ＵＬ及びＤＬデータ伝送を実行するように、動作ブロック２００４、２００６及び２００８の同時のＴｘ／Ｒｘ  ＴＤＤ伝送へループバックする。
【００９２】
図１３は、本開示の様々な実施形態による、ＵＥ３００のための帯域間ＴＤ−ＬＴＥキャリアアグリゲーションを実行するための様々な手順２１００を示すフロー図を示している。この点において、図１３に示す手順２１００のいずれか又は全てが、ＵＥ機器３００の非一時的コンピュータ可読メモリ３０６に記憶されるコンピュータが実行可能な命令（例えば、コンピュータプログラムコード）の実行により、場合によってはｅＮｏｄｅＢ２００とＬＴＥ  ＭＭＥなどの任意の他の共通の電気通信ネットワークエンティティとの少なくともいずれかの非一時的コンピュータ可読メモリ２０６に記憶されたコンピュータが実行可能な命令（例えば、コンピュータプログラムコード）の実行と併せることにより、実行されうる１つ又は複数の方法と関連付けられうることが理解されるべきである。
【００９３】
最初に、動作ブロック２１０２において、第１のＴＤ−ＬＴＥ通信リンク（例えば、図９ＡのリンクＡ  １５１２）及び第２のＴＤ−ＬＴＥ通信リンク（例えばリンクＢ  １５１０）が、ＵＥ３００のために確立されうる。次に、動作ブロック２１０４において、ＵＥ３００は、第１のＴＤ−ＬＴＥチャネル（ＣｈＡ、例えばチャネルＢ３８）を用いて、第２のＴＤ−ＬＴＥリンク（例えば、リンクＢ  １５１０）を介して、ネットワークエンティティ２００（例えば、ｅＮｏｄｅＢ１５１４）へＴＤ−ＬＴＥ  ＵＬデータを送信してもよく、同時に、ＵＥ３００は、動作ブロック２１０６及び２１０８において（例えば、ＴＤ−ＬＴＥ  ＭＩＭＯアンテナダイバーシティの要求に従って）、第２のＴＤ−ＬＴＥチャネル（ＣｈＢ、例えばチャネルＢ４１）を用いて、第１のＴＤ−ＬＴＥリンク（リンクＡ  １５０８）を介して、ネットワークエンティティ２００から第１及び第２のＴＤ−ＬＴＥ  ＤＬデータを受信する。
【００９４】
その後、動作ブロック２１１０において、ＵＥ３００（及びネットワーク）は、（例えばＲＦフロントエンドスイッチ１５０６を用いて）ＴＤ−ＬＴＥ状態切り替えを実行することができる。その後、ＵＥ機器３００は、動作ブロック２１１２及び２１１４において（例えばＴＤ−ＬＴＥ  ＭＩＭＯアンテナダイバーシティの要求に従って）、第２のＴＤ−ＬＴＥチャネル（ＣｈＢ、例えばチャネルＢ４１）を用いて、第２のＴＤ−ＬＴＥリンク（例えばリンクＢ  １６０２）を介して、ネットワークエンティティ２００から第１及び第２のＴＤ−ＬＴＥ  ＤＬデータを受信することができ、同時に、ＵＥ３００は、第１のＴＤ−ＬＴＥチャネル（ＣｈＡ、例えばチャネルＢ３８）を用いて、第１のＴＤ−ＬＴＥリンク（例えばリンクＡ  １６０４）を介して、ネットワークエンティティ２００へＴＤ−ＬＴＥ  ＵＬデータを送信する。
【００９５】
次に、決定ブロック２１１８において、（例えばネットワークエンティティ２００とＵＥ３００との少なくともいずれかによって）全てのＴＤ−ＬＴＥ  ＵＬ及びＤＬ伝送が完了したかについての判定がなされる。決定ブロック２１１８において全てのＴＤ−ＬＴＥ  ＵＬ及びＤＬ伝送が完了したとの判定がなされたシナリオにおいては、処理は、動作ブロック２１２２へ進み、無線通信機器３００のための全ての対応するＴＤ−ＬＴＥデータ伝送を停止する。代わりに、決定ブロック２１１８においてＴＤ−ＬＴＥ  ＵＬ及びＤＬ伝送が全ては完了していないとの判定がなされたシナリオにおいては、手順は動作ブロック２１２０へ進み、ＵＥ３００（及びネットワーク）は、（例えばＲＦフロントエンドスイッチ１５０６を用いて）さらなるＴＤＤ状態切り替えを実行することができる。その後、手順は、ＵＥ３００のためのさらなるＴＤ−ＬＴＥ  ＵＬ及びＤＬデータ伝送を実行するように、動作ブロック２１０４、２１０６及び２１０８の同時のＴｘ／Ｒｘ  ＴＤ−ＬＴＥ伝送へループバックする。
【００９６】
説明された実施形態の様々な態様、具現化、実装又は特徴は、個別に又は任意に組み合わせて用いることができることが理解されるべきである。説明された実施形態の様々な態様は、ソフトウェア、ハードウェア、又はハードウェアとソフトウェアとの組み合わせによって実装されうる。また、説明される実施形態は、非一時的コンピュータ可読媒体に記憶されることができるコンピュータが実行可能なコード／命令として具現化されうる。非一時的コンピュータ可読媒体は、その後にコンピュータシステムが読み出すことが可能なデータを記憶することができる、任意のデータストレージでありうる。このようなコンピュータ可読媒体は、例として、読み出し専用メモリ（ＲＯＭ）、ランダムアクセスメモリ（ＲＡＭ）、コンパクトディスク（ＣＤ）、デジタル多目的ディスク（ＤＶＤ）、ハードディスクドライブ（ＨＤＤ）、磁気テープ、又は他の光学データ記憶装置を含む。
【００９７】
例示のための先述の説明では、説明される実施形態の総合的な理解を与えるために特定の用語を用いた。しかしながら、その特定の詳細の全てが、説明される実施形態を実行するためには必要でないことは、当業者には明らかであるに違いない。したがって、特定の実施形態の上述の説明は、図解及び説明のために提示されている。それらは、包括的であること、又は説明された実施形態を開示された厳密な形式に限定することは意図されていない。多くの変更及び変形が上述の技術を考慮して可能であることは、当業者には明らかであろう。
【図１】
2016072961.tif 000003
【図２】
2016072961.tif 000004
【図３】
2016072961.tif 000005
【図４】
2016072961.tif 000006
【図５】
2016072961.tif 000007
【図６Ａ】
2016072961.tif 000008
【図６Ｂ】
2016072961.tif 000009
【図６Ｃ】
2016072961.tif 000010
【図７Ａ】
2016072961.tif 000011
【図７Ｂ】
2016072961.tif 000012
【図７Ｃ】
2016072961.tif 000013
【図８Ａ】
2016072961.tif 000014
【図８Ｂ】
2016072961.tif 000015
【図８Ｃ】
2016072961.tif 000016
【図９Ａ】
2016072961.tif 000017
【図９Ｂ】
2016072961.tif 000018
【図９Ｃ】
2016072961.tif 000019
【図１０】
2016072961.tif 000020
【図１１】
2016072961.tif 000021
【図１２】
2016072961.tif 000022
【図１３】
2016072961.tif 000023
【外国語明細書】
2016072961000001.pdf